(57)【要約】【課題】  宇宙の星や銀河やクエーサーから放出するジェットは何か。磁気とジェットのエネルギーはどのようであるか。銀河系の大きな腕、中位の腕、小さい腕の中央に存在するブラックホールから放出する磁気は、腕の周囲を回転し、腕の中の星達を守っていると考える。銀河系はどのようにできたか。【解決手段】  磁気とジェットが放出する場は同じです。磁気の届く距離は、出発する場のＡ２×８．７Ｋｍです。ジェットの届く距離も出発する場のＡ２×定数で表現できる。この式から、ジェットは何であるかを推察し、磁気とジェットのエネルギーを求める。銀河系の大きな腕、中位の腕、小さい腕の中央に存在するブラックホールの質量から、腕の質量を算出する。これは、銀河系の中心核のブラックホールの質量と銀河系の質量は比例すると考え算出する。銀河系のハローの質量が少ない事から、この部分までジェットが届き、ダークマターを活性化し中央の方に集めたと考える。【選択図】図２
2008312441.tif 000002
【特許請求の範囲】
【請求項１】
磁気帯ができる原理とジェットが噴出する原理は同じです。
同じ原理であるならば、磁気が届く距離とジェットが届く距離は同じような式で求められるはずです。
また、磁気が届く距離を求める式とジェットが届く距離を求める式から、何が放出しているのかが理解できます。
【請求項２】
磁気が届く距離を求める式とジェットが届く距離を求める式はどのようであるか。式の比較。
磁気が放出する場から、ジェットは放出します。
ジェットが出る場のエネルギー＝磁気の光子が出る場のエネルギー＝Ａ２（熱としてＡ２℃）
磁気が届く距離は出発する場のエネルギーに比例する。
ジェットが届く距離は出発する場のエネルギーに比例する。
それで、
磁気が届く距離＝出発する場のＡ２×定数
ジェットが届く距離＝出発する場のＡ２×定数、として表現できるはずです。
出発する場を、核融合の場とブラックホールの場について考える。
磁気が届く距離＝Ａ２×８．７Ｋｍ
ジェットが届く距離＝太陽の半径×８４９×星のＡ÷核融合の場のＡ＝６．９６×１０５Ｋｍ×８４９×星のＡ÷（３．８７３×１０３）
▲１▼太陽の場合。核融合の場を基本にした場合。
ａ太陽の中央のＡを核融合の場とする場合。
ｂ太陽の中央のＡをＡとする場合。これは、太陽の中央は核融合の場のＡより大きいと考えるからです。
ａ太陽の中央のＡを核融合の場のＡとする場合。
磁気が届く距離＝Ａ２×８．７Ｋｍ＝（３．８７３×１０３）２×８．７Ｋｍ
ジェットが届く距離
＝太陽の半径×８４９×核融合の場のＡ÷核融合の場のＡ
＝太陽の半径×８４９＝６．９６×１０５Ｋｍ×８４９
＝核融合の場のＡ２×ｘ＝（３．８７３×１０３）２×ｘ
ｘ＝６．９６×１０５Ｋｍ×８４９÷（３．８７３×１０３）２＝３９．３９Ｋｍ
よって、ジェットが届く距離＝（３．８７３×１０３）２×３９．３９Ｋｍ
ｂ太陽の中央のＡをＡとする場合。
磁気が届く距離＝Ａ２×８．７Ｋｍ
ジェットが届く距離
＝太陽の半径×８４９×太陽のＡ÷核融合の場のＡ
＝６．９６×１０５Ｋｍ×８４９×太陽のＡ÷（３．８７３×１０３）
＝（３．８７３×１０３）２×３９．３９Ｋｍ×太陽のＡ÷（３．８７３×１０３）
＝１．５２６×１０５ｋｍ×太陽のＡ
▲２▼星の場合。核融合の場を基本にした場合。
星の質量が太陽質量のＫ倍である場合。
星のＡ＝核融合の場のＡ×Ｋ＝３．８７３×１０３×Ｋ
星の磁気が届く距離
＝星のＡ２×８．７Ｋｍ
＝（３．８７３×１０３×Ｋ）２×８．７Ｋｍ
＝（３．８７３×１０３）２×Ｋ２×８．７Ｋｍ＝１．３０５×１０８Ｋｍ×Ｋ２
星のジェットが届く距離
＝太陽の半径×８４９×星のＡ÷核融合の場のＡ
＝６．９６×１０５Ｋｍ×８４９×星のＡ÷（３．８７３×１０３）
＝（３．８７３×１０３）２×３９．３９Ｋｍ×星のＡ÷（３．８７３×１０３）
＝（３．８７３×１０３）２×３９．３９Ｋｍ×３．８７３×１０３×Ｋ÷（３．８７３×１０３）
＝（３．８７３×１０３）２×３９．３９Ｋｍ×Ｋ＝星のＡ２÷Ｋ×３９．３９Ｋｍ
▲３▼銀河やクエーサーの場合。核融合の場を基本にした場合。
銀河やクエーサーの質量が太陽質量のβ倍の場合。
銀河やクエーサーのＡ＝４．３２５×１０４×β１／３＝核融合の場のＡ×ｘ
ｘ＝４．３２５×１０４×β１／３÷核融合の場のＡ＝４．３２５×１０４×β１／３÷（３．８７３×１０３）＝１１．１７×β１／３
銀河やクエーサーのＡ＝４．３２５×１０４×β１／３＝核融合の場のＡ×１１．１７×β１／３＝３．８７３×１０３×１１．１７×β１／３
銀河やクエーサーの磁気の届く距離
＝銀河とクエーサーのＡ２×８．７Ｋｍ
＝（４．３２５×１０４×β１／３）２×８．７Ｋｍ
＝（核融合の場のＡ×１１．１７×β１／３）２×８．７Ｋｍ
＝（３．８７３×１０３×１１．１７×β１／３）２×８．７Ｋｍ
＝（３．８７３×１０３）２×１２４．７×β２／３×８．７Ｋｍ
＝（３．８７３×１０３）２×１．０８５×１０３×β２／３Ｋｍ
＝１．６２７×１０１０×β２／３Ｋｍ
銀河やクエーサーのジェットの届く距離
＝（３．８７３×１０３）２×３９．３９Ｋｍ×銀河やクエーサーのＡ÷（３．８７３×１０３）
＝（３．８７３×１０３）２×３９．３９Ｋｍ×４．３２５×１０４×β１／３÷（３．８７３×１０３）
＝（３．８７３×１０３）２×３９．３９Ｋｍ×核融合の場のＡ×１１．１７×β１／３÷（３．８７３×１０３）
＝（３．８７３×１０３）２×３９．３９Ｋｍ×１１．１７×β１／３
＝（３．８７３×１０３）２×４．４×１０２×β１／３Ｋｍ
＝６．５９８×１０９×β１／３Ｋｍ
【請求項３】
銀河やクエーサーの中心は、核融合反応の場ではなく、ブラックホールです。
中心がブラックホールの場合、磁気が届く距離とジェットが届く距離はどのような式で求められるか。
クエーサーや銀河の場合。ブラックホールを基本にした場合。
銀河やクエーサーのＡ＝４．３２５×１０４×β１／３＝ブラックホールのＡ×ｘ
ｘ＝４．３２５×１０４×β１／３÷ブラックホールのＡ＝４．３２５×１０４×β１／３÷（７．３７８×１０５）＝５．８６２×１０−２×β１／３
銀河やクエーサーのＡ＝４．３２５×１０４×β１／３＝ブラックホールのＡ×５．８６２×１０−２×β１／３＝７．３７８×１０５×５．８６２×１０−２×β１／３
銀河やクエーサーの磁気が届く距離
＝Ａ２×８．７Ｋｍ
＝（４．３２５×１０４×β１／３）２×８．７Ｋｍ
＝（ブラックホールのＡ×５．８６２×１０−２×β１／３）２×８．７Ｋｍ
＝ブラックホールのＡ２×３４．３６×１０−４×β２／３×８．７Ｋｍ
＝（７．３７８×１０５）２×３４．３６×１０−４×β２／３×８．７Ｋｍ
＝（７．３７８×１０５）２×２．９８９×１０−２×β２／３Ｋｍ
＝１．６２７×１０１０×β２／３Ｋｍ
銀河やクエーサーのジェットが届く距離
＝ブラックホールのＡ２×定数×銀河やクエーサーのＡ÷ブラックホールのＡ
＝（７．３７８×１０５）２×定数×ブラックホールのＡ×５．８６２×１０−２×β１／３÷ブラックホールのＡ
＝（７．３７８×１０５）２×定数×５．８６２×１０−２×β１／３＝３．１９１×１０１０×β１／３×定数
銀河やクエーサーのジェットが届く距離＝６．６×１０９×β１／３Ｋｍ＝３．１９１×１０１０×β１／３×定数
定数＝６．６×１０９×β１／３Ｋｍ÷（３．１９１×１０１０×β１／３）＝２．０６８×１０−１Ｋｍ
よって、
銀河やクエーサーのジェットが届く距離
＝ブラックホールのＡ２×定数×銀河やクエーサーのＡ÷ブラックホールのＡ
＝（７．３７８×１０５）２×２．０６８×１０−１Ｋｍ×ブラックホールのＡ×５．８６２×１０−２×β１／３÷ブラックホールのＡ
＝（７．３７８×１０５）２×０．２０６８Ｋｍ×５．８６２×１０−２×β１／３
＝（７．３７８×１０５）２×１．２１２×１０−２×β１／３Ｋｍ
＝６．６×１０９Ｋｍ×β１／３
まとめて表に示す。
2008312441.tif 000022
2008312441.tif 000023
2008312441.tif 000024
【請求項４】
星の磁気が届く距離は星のジェットが届く距離の何倍か。
星の磁気が届く距離÷星のジェットが届く距離＝星のＡ２×８．７Ｋｍ÷（星のＡ２÷Ｋ×３９．３９）＝０．２２１×Ｋ
星の磁気が届く距離は星のジェットが届く距離の０．２２１×Ｋ倍です。
【請求項５】
星の磁気が届く距離と星のジェットが届く距離が等しい時、星の質量は太陽質量の何倍か。
星の磁気の届く距離＝星のジェットの届く距離
星のＡ２×８．７Ｋｍ＝星のＡ２÷Ｋ×３９．３９
Ｋ＝３９．３９÷８．７＝４．５２８
星の質量が太陽質量の４．５２８倍の場合、星の磁気が届く距離と星のジェットが届く距離は等しい
【請求項６】
銀河やクエーサーの磁気の届く距離は、銀河やクエーサーのジェットの届く距離の何倍か。
銀河やクエーサーの磁気の届く距離÷銀河やクエーサーのジェットの届く距離＝１．６２７×１０１０×β２／３Ｋｍ÷（６．５９８×１０９×β１／３Ｋｍ）＝２．４６６×β１／３（倍）
銀河やクエーサーの磁気の届く距離は、銀河やクエーサーのジェットの届く距離の２．４６６×β１／３倍です。
【請求項７】
銀河やクエーサーの磁気の届く距離と銀河やクエーサーのジェットの届く距離が等しい時、銀河やクエーサーの質量は太陽質量の何倍か。
１．６２７×１０１０×β２／３Ｋｍ＝６．６×１０９×β１／３Ｋｍ
β１／３＝０．４０５７
β＝０．４０５７３＝０．０６６８
銀河やクエーサーの質量は太陽質量の０．０６６８倍です。
よって、このような事はない。
常に、銀河やクエーサーの磁気の届く距離は、銀河やクエーサーのジェットの届く距離より長い。軌道は大きい。磁気が銀河やクエーサーを覆っている。
【請求項８】
磁気が届く距離とジェットが届く距離の関係はどのようになっているか。
星の場合。
太陽質量のＫ倍の星の場合。
磁気が届く距離＝星のＡ２×８．７Ｋｍ
＝（３．８７３×１０３×Ｋ）２×８．７Ｋｍ
＝１．３０５×１０８Ｋｍ×Ｋ２
ジェットが届く距離＝３．８７３×１０３×３９．３９Ｋｍ×星のＡ
＝（３．８７３×１０３）２×３９．３９Ｋｍ×Ｋ
＝５．９０９×１０８Ｋｍ×Ｋ
これをグラフにする。
縦軸を距離とし、距離を×１．３０８×１０８Ｋｍとする。横軸をＫとする。
磁気が届く距離＝１．３０５×１０８Ｋｍ×Ｋ２÷（１．３０５×１０８Ｋｍ）＝Ｋ２
ジェットが届く距離＝５．９０９×１０８Ｋｍ×Ｋ÷（１．３０５×１０８Ｋｍ）＝４．５２８×Ｋ
磁気が届く距離は２次関数のグラフで示される。
ジェットが届く距離は１次関数のグラフで示される。
また、
磁気の届く距離：ジェットの届く距離＝１．３０５×１０８Ｋｍ×Ｋ２：５．９０９×１０８Ｋｍ×Ｋ＝Ｋ２：４．５２８×Ｋ
銀河とクエーサーの場合。
太陽質量のβ倍の銀河とクエーサーの場合。
磁気の届く距離＝１．６２７×１０１０Ｋｍ×β２／３
ジェットの届く距離＝６．６×１０９Ｋｍ×β１／３
これをグラフにする。
縦軸を距離とし、距離を×６．６×１０９Ｋｍとする。横軸をβ１／３＝ａとする。
磁気の届く距離＝１．６２７×１０１０Ｋｍ×β２／３÷（６．６×１０９Ｋｍ）＝２．４６５×β２／３＝２．４６５×ａ２
ジェットの届く距離＝６．６×１０９Ｋｍ×β１／３÷（６．６×１０９Ｋｍ）＝β１／３＝ａ
磁気が届く距離は２次関数のグラフで示される。
ジェットが届く距離は１次関数のグラフで示される。
また、
磁気の届く距離：ジェットの届く距離＝１．６２７×１０１０Ｋｍ×β２／３：６．６×１０９Ｋｍ×β１／３＝２．４６５×β２／３：β１／３＝２．４６５×ａ２：ａ
これらの式により理解できる事。
１．磁気の届く距離：ジェットの届く距離＝Ａ２：Ａです。
２．磁気やジェットが届く距離は、エネルギーの大きさに比例すると考えると、磁気のエネルギーはジェットのエネルギーの２乗です。
それで、磁気のエネルギーは磁気の光子のエネルギーで、ジェットのエネルギーは電気の光子のエネルギーです。
３．核融合の場でできた磁気の光子のエネルギーと、電気の光子のエネルギーは同じです。
４．電気の光子のエネルギーは熱になり消滅します。しかし、Ａ２のエネルギーのうちＡのエネルギーは残る、この残った電気の光子のエネルギーがジェットに成ると考えられる。
５．磁気の光子は消滅することなくそのまま磁気として放出する。
６．それで、放出する磁気の光子のエネルギーはＡ２であり、放出する電気の光子であるジェットのエネルギーはＡです。
【請求項９】
磁気放出の原理はなにか。ジェット放出の原理はなにか。
Ａ＝１の場合、これは地表です。
１原子が１秒間に作るエネルギーは熱エネルギーとして１℃です。
Ａの場において、１原子が１秒間に作る磁気の光子のエネルギーは、温度に換算するとＡ℃です。Ｊで示すと、Ａ×２７３×１．３８０６５×１０−２３Ｊ＝３．７６９×１０−２１Ｊ×Ａです。
Ａの場において、１個の原子が１秒間に作る、
磁気の光子は３．７６９×１０−２１Ｊ×Ａです。
電気の光子は３．７６９×１０−２１Ｊ×Ａです。
Ａの場において、１．０５８×１０−１０ｍにはＡ個の原子が存在します。
Ａ個の原子が１秒間に作る、
磁気の光子は３．７６９×１０−２１Ｊ×Ａ２です。
電気の光子は３．７６９×１０−２１Ｊ×Ａ２です。
・磁気の光子の場合。
Ａの場において、Ａ個の原子が１秒間に作る、磁気の光子は３．７６９×１０−２１Ｊ×Ａ２です。
この磁気の光子がが放出し、磁気帯になります。
・電気の光子の場合。
Ａの場において、Ａ個の原子が１秒間に作る、電気の光子は３．７６９×１０−２１Ｊ×Ａ２＝Ａ２℃です。
しかし、ジェットのエネルギーは、３．７６９×１０−２１Ｊ×Ａです。
この事は、できた電気の光子のエネルギー１／２は熱になり消費され、残りの電気の光子のエネルギー１／２はジェットのエネルギーになる事を示す。
【請求項１０】
放出する磁気の光子（磁気）のエネルギーは、放出する電気の光子（ジェット）のエネルギーの何倍であるか。放出する電気の光子（ジェット）のエネルギーと放出する磁気の光子（磁気）のエネルギーの関係式はどのようであるか。放出する電気の光子（ジェット）のエネルギーはできる電気の光子のエネルギーのどれくらいになるか。
放出する磁気やジェットのエネルギーと、磁気やジェットが届く距離を次のように考える。
星の磁気のエネルギー＝Ａ２
星のジェットのエネルギー＝星のＡ×３．８７３×１０３
銀河やクエーサーの磁気のエネルギー＝銀河やクエーサーのＡ２＝（４．３２５×１０４×β１／３）２
銀河やクエーサーのジェットのエネルギー＝銀河やクエーサーのＡ×３．８７３×１０３＝４．３２５×１０４×β１／３×３．８７３×１０３
星の磁気の届く距離＝Ａ２×８．７Ｋｍ＝星の磁気のエネルギー×８．７Ｋｍ
星のジェットの届く距離＝星のＡ×３．８７３×１０３×３９．３９Ｋｍ＝星のジェットのエネルギー×３９．３９Ｋｍ
銀河やクエーサーの磁気の届く距離＝銀河やクエーサーのＡ２×８．７Ｋｍ＝（４．３２５×１０４×β１／３）２×８．７Ｋｍ＝銀河やクエーサーの磁気のエネルギー×８．７Ｋｍ
銀河やクエーサーのジェットの届く距離＝銀河やクエーサーのＡ×３．８７３×１０３×３９．３９Ｋｍ＝４．３２５×１０４×β１／３×３．８７３×１０３×３９．３９Ｋｍ＝銀河やクエーサーのジェットのエネルギー×３９．３９Ｋｍ
表に示す。次のように考える。
2008312441.tif 000025
・放出する磁気の光子（磁気）のエネルギーは、放出する電気の光子（ジェット）のエネルギーの何倍であるか。
▲１▼星の場合
放出する磁気の光子（磁気）のエネルギー÷放出する電気の光子（ジェット）のエネルギー
＝星のＡ２÷（星のＡ×３．８７３×１０３）
＝星のＡ÷（３．８７３×１０３）
放出する磁気の光子（磁気）のエネルギーは、放出する電気の光子（ジェット）のエネルギーの、星のＡ÷（３．８７３×１０３）倍です。
▲２▼銀河やクエーサーの場合。核融合の場を基本にした場合。
放出する磁気の光子（磁気）のエネルギー÷放出する電気の光子（ジェット）のエネルギー
＝銀河やクエーサーのＡ２÷（銀河やクエーサーのＡ×３．８７３×１０３）
＝銀河やクエーサーのＡ÷（３．８７３×１０３）
放出する磁気の光子（磁気）のエネルギーは、放出する電気の光子（ジェット）のエネルギーの、銀河やクエーサーのＡ÷（３．８７３×１０３）倍です。
▲３▼銀河やクエーサーの場合。ブラックホールの場を基本にした場合。
放出する磁気の光子（磁気）のエネルギー÷放出する電気の光子（ジェット）のエネルギー
＝（７．３７８×１０５）２×３４．３６×１０−４×β２／３÷｛（７．３７８×１０５）２×５．８６２×１０−２×β１／３｝
＝３４．３６×１０−４×β２／３÷（５．８６２×１０−２×β１／３）
＝５．８６１×１０−２×β１／３
＝４．３２５×１０４×β１／３÷（７．３７５×１０５）
＝銀河やクエーサーのＡ÷（７．３７５×１０５）
放出する磁気の光子（磁気）のエネルギーは、放出する電気の光子（ジェット）のエネルギーの、銀河やクエーサーのＡ÷（７．３７５×１０５）倍です。
・放出する電気の光子（ジェット）のエネルギーと放出する磁気の光子（磁気）のエネルギーの関係式はどのようであるか。
▲１▼星の場合。
放出する磁気の光子（磁気）のエネルギー
＝放出する電気の光子（ジェット）のエネルギー×星のＡ÷（３．８７３×１０３）
＝（星のＡ×３．８７３×１０３）×星のＡ÷（３．８７３×１０３）
＝（星のＡ×３．８７３×１０３）２÷（３．８７３×１０３）２
＝放出する電気の光子（ジェット）のエネルギー２÷核融合の場の温度
放出する電気の光子（ジェット）のエネルギー２＝放出する磁気の光子（磁気）のエネルギー×核融合の場の温度
放出する電気の光子（ジェット）のエネルギー
＝（放出する磁気の光子（磁気）のエネルギー×核融合の場の温度）１／２
＝放出する磁気の光子（磁気）のエネルギー１／２×核融合の場のＡ
▲２▼銀河やクエーサーの場合。核融合の場を基本にした場合。
放出する磁気の光子（磁気）のエネルギー
＝放出する電気の光子（ジェット）のエネルギー×銀河やクエーサーのＡ÷（３．８７３×１０３）
＝（銀河やクエーサーのＡ×３．８７３×１０３）×銀河やクエーサーのＡ÷（３．８７３×１０３）
＝（銀河やクエーサーのＡ×３．８７３×１０３）２÷（３．８７３×１０３）２
＝放出する電気の光子（ジェット）のエネルギー２÷核融合の場の温度
放出する電気の光子（ジェット）のエネルギー２＝放出する磁気の光子（磁気）のエネルギー×核融合の場の温度
放出する電気の光子（ジェット）のエネルギー
＝（放出する磁気の光子（磁気）のエネルギー×核融合の場の温度）１／２
＝放出する磁気の光子（磁気）のエネルギー１／２×核融合の場のＡ
▲３▼銀河やクエーサーの場合。ブラックホールの場を基本にした場合。
放出する磁気の光子（磁気）のエネルギー
＝放出する電気の光子（ジェット）のエネルギー×銀河やクエーサーのＡ÷（７．３７５×１０５）
＝放出する電気の光子（ジェット）のエネルギー×４．３２５×１０４×β１／３÷（７．３７５×１０５）
＝（７．３７５×１０５）２×４．３２５×１０４×β１／３÷（７．３７５×１０５）×４．３２５×１０４×β１／３÷（７．３７５×１０５）
＝（４．３２５×１０４×β１／３×７．３７５×１０５）２÷（７．３７５×１０５）２
＝放出する電気の光子（ジェット）のエネルギー２÷ブラックホールの場の温度
放出する電気の光子（ジェット）のエネルギー２＝放出する磁気の光子（磁気）のエネルギー×ブラックホールの場の温度
放出する電気の光子（ジェット）のエネルギー
＝（放出する磁気の光子（磁気）のエネルギー×ブラックホールの場の温度）１／２
＝放出する磁気の光子（磁気）のエネルギー１／２×ブラックホールの場の温度１／２
＝放出する磁気の光子（磁気）のエネルギー１／２×ブラックホールの場のＡ
・放出する電気の光子（ジェット）のエネルギーはできる電気の光子のどれくらいになるか。
▲１▼星の場合
星の中央でできる電気の光子のエネルギー＝星の中央でできる磁気の光子のエネルギー、です。
放出する電気の光子（ジェット）のエネルギー
＝放出する磁気の光子（磁気）のエネルギー１／２×核融合の場のＡ
＝星の中央でできる磁気の光子のエネルギー１／２×核融合の場のＡ
＝星の中央でできる電気の光子のエネルギー１／２×核融合の場のＡ
即ち、放出する電気の光子（ジェット）のエネルギー＝星の中央でできる電気の光子のエネルギー１／２×核融合の場のＡ、です。
▲２▼銀河やクエーサーの場合。核融合の場を基本にした場合。
銀河やクエーサーの中央でできる電気の光子のエネルギー＝銀河やクエーサーの中央でできる磁気の光子のエネルギー、です。
放出する電気の光子（ジェット）のエネルギー
＝放出する磁気の光子（磁気）のエネルギー１／２×核融合の場のＡ
＝銀河やクエーサーの中央でできる磁気の光子のエネルギー１／２×核融合の場のＡ
＝銀河やクエーサーの中央でできる電気の光子のエネルギー１／２×核融合の場のＡ
即ち、放出する電気の光子（ジェット）のエネルギー＝銀河やクエーサーの中央でできる電気の光子のエネルギー１／２×核融合の場のＡ、です。
▲３▼銀河やクエーサーの場合。ブラックホールの場を基本にした場合。
銀河やクエーサーの中央のブラックホールできる電気の光子のエネルギー＝銀河やクエーサーの中央のブラックホールでできる磁気の光子のエネルギー、です。
放出する電気の光子（ジェット）のエネルギー
＝放出する磁気の光子（磁気）のエネルギー１／２×ブラックホールの場のＡ
＝銀河やクエーサーの中央のブラックホールでできる磁気の光子のエネルギー１／２×ブラックホールの場のＡ
＝銀河やクエーサーの中央のブラックホールでできる電気の光子のエネルギー１／２×ブラックホールの場のＡ
即ち、放出する電気の光子（ジェット）のエネルギー＝銀河やクエーサーの中央のブラックホールでできる電気の光子のエネルギー１／２×ブラックホールの場のＡ、です。
この式によって理解できる事。
１．星の場合においても、銀河やクエーサーの場合においても、
放出する磁気の光子（磁気）のエネルギーは、放出する電気の光子（ジェット）のエネルギー２÷核融合の場の温度  です。
２．星の場合においても、銀河やクエーサーの場合においても、
放出する電気の光子（ジェット）のエネルギーは、放出する磁気の光子（磁気）のエネルギー１／２×核融合の場の温度１／２です。
３．銀河やクエーサーの場合、ブラックホールの場を基本にした場合、
放出する電気の光子（ジェット）のエネルギーは、放出する磁気の光子（磁気）のエネルギー１／２×ブラックホールの場の温度１／２です。これは、核融合の場を基本に考えた式から導き出した式を使っているからです。距離がこの分小さくなっている。
４．星の場合においても、銀河やクエーサーの場合においても、
放出する電気の光子（ジェット）のエネルギー＝核融合の場でできる電気の光子のエネルギー１／２×核融合の場のＡ、です。
５．銀河やクエーサーの場合、ブラックホールの場を基本にした場合、
放出する電気の光子（ジェット）のエネルギー＝ブラックホールの場でできる電気の光子のエネルギー１／２×ブラックホールの場のＡ、です。
【請求項１１】
銀河系の大きな腕、中位の腕、小さい腕、の中央にはブラックホールがある。
このブラックホールでできる磁気の光子が届く距離はいくらか。腕の質量は太陽質量の何倍であるか。磁気の仕事は何か。
私は、２００８年１月４日に提出した、特願２００８−２３３０９の「請求項２５」で、腕の中心に太陽質量の何倍のブラックホールが存在するか、を記した。
それは次のようです。
まとめて表に記す。
2008312441.tif 000026
2008312441.tif 000027
磁気の届く距離＝Ａ２×８．７Ｋｍ＝（４．３２５×１０４×β１／３）２×８．７Ｋｍ
腕の中心のブラックホールから放出する、磁気が届く距離を求めるためには、腕の質量が太陽質量の何倍であるかを知る必要がある。
・それでは、腕の質量は太陽質量の何倍であるか。
銀河系の質量は、６×１０１１太陽質量で、中心核のブラックホールの質量は、３×１０６太陽質量です。
中心核のブラックホールの質量は、全体の質量に比例すると考えます。
そのように考えて、中心のブラックホールの質量から腕の質量を求める。
小さい腕の質量＝小さい腕の中心のブラックホールの質量×銀河系の質量÷銀河系の中心
核のブラックホールの質量＝１．５５８×１０３×６×１０１１÷（３×１０６）＝３．１１６×１０８
小さい腕の質量は、３．１１６×１０８太陽質量です。
中位の腕の質量＝中位の腕の中心のブラックホールの質量×銀河系の質量÷銀河系の中心
核のブラックホールの質量＝５．２５２×１０３×６×１０１１÷（３×１０６）＝１．０５０×１０９
中位の腕の質量は、１．０５０×１０９太陽質量です。
大きい腕の質量＝大きい腕の中心のブラックホールの質量×銀河系の質量÷銀河系の中心
核のブラックホールの質量＝１．２４７×１０４×６×１０１１÷（３×１０６）＝２．４９４×１０９
大きい腕の質量は、２．４９４×１０９太陽質量です。
・大きな腕、中位の腕、小さい腕のブラックホールでできる磁気の光子が届く距離はいくらか。
小さい腕のブラックホールでできる磁気の光子が届く距離＝１．６２７×１０１０×β２／３Ｋｍ＝１．６２７×１０１０×（３．１１６×１０８）２／３Ｋｍ＝１．６２７×１０１０×（０．３１１６×１０９）２／３Ｋｍ＝１．６２７×１０１０×０．０９７１／３×１０６Ｋｍ＝１．６２７×１０１０×０．４６×１０６Ｋｍ＝７．４８４×１０１５Ｋｍ
小さい腕のブラックホールでできる磁気の光子が届く距離は、７．４８４×１０１５Ｋｍです。
これは、７．４８４×１０１５Ｋｍ÷（９．４６×１０１２Ｋｍ）＝７．９１１×１０２光年です。
中位の腕のブラックホールでできる磁気の光子が届く距離＝１．６２７×１０１０×β２／３Ｋｍ＝１．６２７×１０１０×（１．０５０×１０９）２／３Ｋｍ＝１．６２７×１０１０×１．０５０２／３×１０６Ｋｍ＝１．６２７×１０１０×１．１０２５１／３×１０６Ｋｍ＝１．６２７×１０１０×１．０３３×１０６Ｋｍ＝１．６８１×１０１６Ｋｍ
中位の腕のブラックホールでできる磁気の光子が届く距離は、１．６８１×１０１６Ｋｍです。
これは、１．６８１×１０１６Ｋｍ÷（９．４６×１０１２Ｋｍ）＝１．７７７×１０３光年です。
大きい腕のブラックホールでできる磁気の光子が届く距離＝１．６２７×１０１０×β２／３Ｋｍ＝１．６２７×１０１０×（２．４９４×１０９）２／３Ｋｍ＝１．６２７×１０１０×２．４９４２／３×１０６Ｋｍ＝１．６２７×１０１０×６．２２０１／３×１０６Ｋｍ＝１．６２７×１０１０×１．８３９×１０６Ｋｍ＝２．９９２×１０１６Ｋｍ
大きい腕のブラックホールでできる磁気の光子が届く距離は、２．９９２×１０１６Ｋｍです。
これは、２．９９２×１０１６Ｋｍ÷（９．４６×１０１２Ｋｍ）＝３．１６３×１０３光年です。
私は、腕の中心のブラックホールでできる磁気は、腕を包囲していると考えます。
・腕の半径はいくらか。
太陽系の近くの厚さは、約５０００光年です。
半径は、２５００光年です。
それでは、
・磁気が届く距離が２５００光年であるためには、腕の質量はいくらでなければいけないか。
磁気の届く距離＝２．５×１０３×９．４６×１０１２Ｋｍ＝２．３６５×１０１６Ｋｍ
Ａ２×８．７Ｋｍ＝２．３６５×１０１６Ｋｍ
Ａ２＝２．３６５×１０１６Ｋｍ÷８．７Ｋｍ＝２．７１８×１０１５
Ａ＝（２．７１８×１０１５）１／２＝５．２１３×１０７
４．３２５×１０４×β１／３＝５．２１３×１０７
β１／３＝５．２１３×１０７÷（４．３２５×１０４）＝１．２０５×１０３
β＝（１．２０５×１０３）３＝１．７５０×１０９
磁気が届く距離が２５００光年であるためには、腕の質量は、１．７５０×１０９太陽質量でなければならない。
私が求めた、中位の腕の質量は、１．０５０×１０９太陽質量です。
磁気が届く距離が２５００光年であるためには、腕の質量は、１．７５０×１０９太陽質量です。
私が求めた値は、１．０５０×１０９太陽質量÷（１．７５０×１０９太陽質量）×１００＝６０パーセントです。
私が求めた、大きい腕の質量は、２．４９４×１０９太陽質量です。
磁気が届く距離が２５００光年であるためには、腕の質量は、１．７５０×１０９太陽質量です。
私が求めた値は、２．４９４×１０９太陽質量÷（１．７５０×１０９太陽質量）×１００＝１４２．５パーセントです。
このことによって理解できる事。
１．腕の中心のブラックホールから放出する磁気は、腕を包囲し、腕の星星を守っている。
２．腕と腕が衝突しないように守っている。
３．腕の星達が腕から散らばらないようにガードしている。
【請求項１２】
銀河系の大きな腕、中位の腕、小さい腕、の中央にはブラックホールがある。
このブラックホールでできるジェットが届く距離はいくらか。大きな腕、中位の腕、小さい腕、の中央ブラックホールのＡはいくらか。
ジェットの届く距離＝６．６×１０９Ｋｍ×β１／３
小さい腕のブラックホールでできるジェットが届く距離＝６．６×１０９Ｋｍ×（３．１１６×１０８）１／３＝６．６×１０９Ｋｍ×０．３１１６１／３×１０３＝６．６×１０９Ｋｍ×０．６７８×１０３＝４．４７５×１０１２Ｋｍ
小さい腕のブラックホールでできるジェットが届く距離は、４．４７５×１０１２Ｋｍです。
これは、４．４７５×１０１２Ｋｍ÷（９．４６×１０１２Ｋｍ）＝０．４７３光年です。
Ａ＝４．３２５×１０４×（３．１１６×１０８）１／３＝４．３２５×１０４×０．６７８×１０３＝２．９３２×１０７
中位の腕のブラックホールでできるジェットが届く距離＝６．６×１０９Ｋｍ×（１．７５０×１０９）１／３＝６．６×１０９Ｋｍ×１．７５０１／３×１０３＝６．６×１０９Ｋｍ×１．２０５×１０３＝７．９５３×１０１２Ｋｍ
中位の腕のブラックホールでできるジェットが届く距離は、７．９５３×１０１２Ｋｍです。
これは、７．９５３×１０１２Ｋｍ÷（９．４６×１０１２Ｋｍ）＝０．８４１光年です。
Ａ＝４．３２５×１０４×（１．７５０×１０９）１／３＝４．３２５×１０４×１．２０５×１０３＝５．２１２×１０７
大きい腕のブラックホールでできるジェットが届く距離＝６．６×１０９Ｋｍ×（２．４９４×１０９）１／３＝６．６×１０９Ｋｍ×２．４９４１／３×１０３＝６．６×１０９Ｋｍ×１．３５６×１０３＝８．９５０×１０１２Ｋｍ
大きい腕のブラックホールでできるジェットが届く距離は、８．９５０×１０１２Ｋｍです。
これは、８．９５０×１０１２Ｋｍ÷（９．４６×１０１２Ｋｍ）＝０．９４６光年です。
Ａ＝４．３２５×１０４×１．３５６×１０３＝５．８６５×１０７
よって、
小さい腕のブラックホールから放出するジェットは、半径０．４７３光年に星を作っている。
中位の腕のブラックホールから放出するジェットは、半径０．８４１光年に星を作っている。
大きい腕のブラックホールから放出するジェットは、半径０．９４６光年に星を作っている。
まとめて表に示す。
2008312441.tif 000028
【請求項１３】
銀河系の生成。１０−１６ｍ時代、クエーサーが１０日光の時（クエーサーの円周は光速で１０日間で１周する距離である時）、クエーサーから放出するジェットで、銀河系の質量のダークマターが集められ、大きな腕の軌道、中位の腕の軌道、小さい腕の軌道ができた、と考える場合。
１０−１６ｍ時代、クエーサーができた。
クエーサーの円周は数日光ですから、１０日光とします。
クエーサーの円周は光速で１０日間で１周する距離である時
クエーサーの半径をｒとします。
２πｒ＝３×１０５Ｋｍ×１０日×２４×６０×６０秒＝２．５９２×１０１１Ｋｍ
ｒ＝２．５９２×１０１１Ｋｍ÷２π＝４．１２７×１０１０Ｋｍ
クエーサーの半径は、４．１２７×１０１０Ｋｍ
このクエーサーが、現在、銀河系のバルジになっている。
・現在の銀河系は、１０−１６ｍ時代のクエーサーの何倍になっているか。
銀河系のバルジは半径１．５×１０４光年です。
バルジはクエーサーの何倍になったか。
バルジの半径÷クエーサーの半径＝１．５×１０４×９．４６×１０１２Ｋｍ÷（４．１２７×１０１０Ｋｍ）＝３．４３８×１０６
バルジはクエーサーの３．４３８×１０６倍に成った。
現在の銀河系は、１０−１６ｍ時代のクエーサーの３．４３８×１０６倍になっている。
・１０−１６ｍ時代のクエーサーは、現在の銀河系の何倍であったか。
クエーサーの半径÷バルジの半径＝４．１２７×１０１０Ｋｍ÷（１．５×１０４×９．４６×１０１２Ｋｍ）＝２．９０８×１０−７
クエーサーはバルジの２．９０８×１０−７倍です。
１０−１６ｍ時代のクエーサーは、現在の銀河系の２．９０８×１０−７倍であった。
※現在、銀河系のハローは、円盤部やバルジを取り囲むように直径１５万光年にわたって広がっているが、その質量は円盤部やバルジの１０％にすぎない。
この事から、ハローの部分に存在したダークマターは円盤部やバルジの質量になった事が理解できる。
・ハローは１０−１６ｍ時代、半径何ｍであったか。
現在、ハローの半径は、７．５×１０４光年ですから、１０−１６ｍ時代、
７．５×１０４×９．４６×１０１２Ｋｍ×２．９０８×１０−７＝２．０６３×１０１１Ｋｍ
２．０６３×１０１１Ｋｍでした。
２．０６３×１０１１Ｋｍまでジェットが届き、この球体のダークマターを活性化し、ダークマターは集まり、銀河系の質量になった。
・１０−１６ｍ時代、銀河系になるクエーサーができた場には、１ｍ３に何個の原子（ダークマター＝ブラックホールの素子）が存在したか。
１ｍ３の原子数はいくらか。
銀河系の質量は、６×１０１１太陽質量です。
この原子数は、６×１０１１×１．２×１０５７個＝７．２×１０６８個です。
半径２．０６３×１０１１Ｋｍの球体に、７．２×１０６８個の原子が存在した。
１ｍ３の原子数＝銀河系の原子数÷球体の体積＝７．２×１０６８個÷｛４π÷３×（２．０６３×１０１１＋３ｍ）３｝＝７．２×１０６８個÷（３．６８×１０４３ｍ３）＝１．９５７×１０２５個
１０−１６ｍ時代、銀河系になるクエーサーができた場には、１ｍ３に１．９５７×１０２５個の原子分のダークマター（自転する電子のラブと陽子のラブ）が存在した。
・１０−１６ｍ時代、ブラックホール体でできるジェットはどこまで届いたか。
ジェットが届いた距離＝１．５２６×１０５Ｋｍ×ブラックホールのＡ＝１．５２６×１０５Ｋｍ×７．３７８×１０５＝１．１２６×１０１１Ｋｍ
初め、ブラックホール体でできるジェットは、１．１２６×１０１１Ｋｍまで届いた。
・次に、２．０６４×１０１１Ｋｍまで届くジェットは、クエーサーの質量が太陽質量の何倍の時できたか。
ジェットが届く距離＝６．６×１０９Ｋｍ×β１／３＝２．０６３×１０１１Ｋｍ
β１／３＝２．０６３×１０１１Ｋｍ÷（６．６×１０９Ｋｍ）＝３．１２６×１０
β＝（３．１２６×１０）３＝３．０５４×１０４
２．０６３×１０１１Ｋｍまで届くジェットは、クエーサーの質量が太陽質量の３．０５４×１０４倍の時できた。
よって、クエーサーの質量が太陽質量の３．０５４×１０４倍の時、ジェットは２．０６３×１０１１Ｋｍまで届き、半径２．０６４×１０１１Ｋｍの球体のダークマターを活性化し、集めた。
・ジェットの届く距離はクエーサーの半径の何倍か。
ジェットの届く距離は２．０６３×１０１１Ｋｍであり、クエーサーの半径は４．１２７×１０１０Ｋｍですから、
２．０６３×１０１１Ｋｍ÷（４．１２７×１０１０Ｋｍ）＝５
ジェットの届く距離はクエーサーの半径の５倍です。
・半径２．０６３×１０１１Ｋｍの球体のダークマターは半径何Ｋｍに集まったか。
ダークマターが集まった最外の軌道に、大きい腕の軌道ができた。
１０−１６ｍ時代、大きい腕の軌道は半径何Ｋｍであったか。
私は、２００８年１月４日に提出した、特願２３３０９の「請求項２１」で、小さな腕の半径を２万光年、中位の半径を３万光年、大きな腕の半径を４万光年とした。
１０−１６ｍ時代、クエーサーができ、腕の軌道ができた。
小さい腕、中位の腕、大きい腕の半径は、現在の半径の２．９０８×１０−７倍でしたから、
小さい腕の軌道は、２×１０４×９．４６×１０１２Ｋｍ×２．９０８×１０−７倍＝５．５０２×１０１０Ｋｍでした。
中位の腕の軌道は、３×１０４×９．４６×１０１２Ｋｍ×２．９０８×１０−７倍＝８．２５３×１０１０Ｋｍでした。
大きい腕の軌道は、４×１０４×９．４６×１０１２Ｋｍ×２．９０８×１０−７倍＝１．１００×１０１１Ｋｍでした。
１０−１６ｍ時代、大きい腕の軌道は半径１．１００×１０１１Ｋｍであった。
よって、半径２．０６３×１０１１Ｋｍの球体のダークマターは半径１．１００×１０１１Ｋｍに集まった。
それで、半径１．１００×１０１１Ｋｍから半径２．０６３×１０１１Ｋｍまでの間は空白になった。
この部分は、現在、大きい腕とハローの間の空白になっている。
・１０−１６ｍ時代、大きい腕、中位の腕、小さい腕はどのようにできたか。
ダークマター（ブラックホールの素子）は、半径１．１００×１０１１Ｋｍの球体に集まった。
ジェットは、半径１．１００×１０１１Ｋｍに届き、この軌道のダークマターを活性化し、大きい腕の軌道を作った。
次に、ジェットは、半径８．２５３×１０１０Ｋｍに届き、この軌道のダークマターを活性化し、中位の腕の軌道を作った。
その次に、ジェットは、半径５．５０２×１０１０Ｋｍに届き、この軌道のダークマターを活性化し、小さい腕の軌道を作った。
・１０−１６ｍ時代、球状星団はどのようにできたか。
▲１▼球状星団はダークマターの密度の小さい部分にジェットが当たってできた星星の集まりです。
例えば、半径１．１００×１０１１Ｋｍから半径２．０６３×１０１１Ｋｍまでの間は空白になった。この空白部分にジェットが当たってできた星の質量は、ダークマターの密度が小さいので、小さい。
クエーサーの周囲の部分のダークマターの密度は小さい。この空白部分にジェットが当たってできた星の質量は小さい。
▲２▼球状星団は、腕に成れなかった星星が集まってできた。
例えば、大きな腕の軌道と、中位の腕の軌道の中間にできた星は、どちらの腕の軌道にも入れず取り残された。その星星が集まった。
例えば、中位の軌道と小さい軌道の中間にできた星は、どちらの腕の軌道にも入れず取り残された。その星星が集まった。
それで、球状星団は、球対称にできている。
球状星団が対称にできているのは、ダークマターの密度が小さい部分に、ジェットが当たった所に星ができるからです。
・１０−１５ｍ時代、大きな腕の軌道、中位の腕の軌道、小さい腕の軌道はどのようになったか。
１０−１５ｍ時代、大きな腕の軌道、中位の腕の軌道、小さい腕の軌道は平らに成った。そして、バルジに引かれ、大きな腕、中位の腕、小さな腕になった。
・１０−１４ｍ時代＝現在、１０−１６ｍ時代のクエーサーや小さい腕の軌道や中位の腕の軌道や大きい腕の軌道やダークマターが集められてできた空白の部分はどのようになったか。
１０−１６ｍ時代から、現在の時間の間に、空間は３．４３８×１０６倍に成った。
クエーサーは、半径、４．１２７×１０１０Ｋｍから、
４．１２７×１０１０Ｋｍ×３．４３８×１０６÷（９．４６×１０１２Ｋｍ）＝１．５×１０４光年になった。
小さな腕の軌道は、半径、５．５０４×１０１０Ｋｍから、
５．５０４×１０１０Ｋｍ×３．４３８×１０６÷（９．４６×１０１２Ｋｍ）＝２×１０４光年になった。
中位の腕の軌道は、半径、８．２４６×１０１０Ｋｍから、
８．２５６×１０１０Ｋｍ×３．４３８×１０６÷（９．４６×１０１２Ｋｍ）＝３×１０４光年になった。
大きい腕の軌道は、半径、１．１０１×１０１１Ｋｍから、
１．１０１×１０１１Ｋｍ×３．４３８×１０６÷（９．４６×１０１２Ｋｍ）＝４×１０４光年になった。
空白の部分は、半径１．１００×１０１１Ｋｍから、半径２．０６３×１０１１Ｋｍまでですから、
１．１００×１０１１Ｋｍ×３．４３８×１０６÷（９．４６×１０１２Ｋｍ）＝３．９９８×１０４光年
２．０６３×１０１１Ｋｍ×３．４３８×１０６÷（９．４６×１０１２Ｋｍ）＝７．４９７×１０４光年
４×１０４光年から７．５×１０４光年までになった。
・この考えですと、クエーサーの半径が４．１２７×１０１０Ｋｍで、質量が太陽質量の３．０５４×１０４倍の時、ジェットは２．０６３×１０１１Ｋｍまで届き、半径２．０６３×１０１１Ｋｍの球体のダークマターを活性化し、このダークマターが銀河系の質量になった。
それで、１０−１６ｍ時代、銀河系になるクエーサーができた場には、１ｍ３に１．９５７×１０２５個の原子分のダークマター（自転する電子のラブと陽子のラブ）が存在した事になりました。
しかし、銀河系の質量は、６×１０１１太陽質量です。
クエーサーの質量が太陽質量の３．０５４×１０４倍の時できたジェットは最も遠くまで届いたのではありません。
その後、クエーサーの質量は増し、ジェットはもっと遠くまで届き、更に多くのダークマターを集めた。
この事が繰り返されて、クエーサーの質量は増加し、ジェットは更に遠くに届き、ダークマターを集め、銀河系の質量になった。
最終的に、クエーサーの質量は太陽質量の６×１０１１倍になりますから、この質量でできるジェットは、
ジェットが届く距離＝６．６×１０９Ｋｍ×β１／３＝６．６×１０９Ｋｍ×（６×１０１１）１／３＝６．６×１０９Ｋｍ×６００１／３×１０３＝６．６×１０９Ｋｍ×８．４３５×１０３＝５．５６７×１０１３Ｋｍ、になります。
このように考えます。
まとめて表に示す。
2008312441.tif 000029
【請求項１４】
銀河系の生成。１０−１６ｍ時代、銀河系の質量が集められ、その質量でできるジェットが届く距離は、ジェットが届いた最大半径であり、それは現在、ハローになっていると考える場合。
１０−１６ｍ時代、ダークマターはブラックホールの素子であり、１０−２４ｍの軌道で自転する電子のラブと陽子のラブが存在する場です。
ダークマターが集められた半径
＝最大のジェットが届く半径
＝銀河系の質量でできるジェットが届く距離
＝６．６×１０９Ｋｍ×（６×１０１１）１／３＝６．６×１０９Ｋｍ×６００１／３×１０３＝６．６×１０９Ｋｍ×８．４３５×１０３＝５．５６７×１０１３Ｋｍ
１０−１６ｍ時代、最大のジェットが届く距離は、銀河系の質量でできるジェットです。
最大のジェットが届く半径のダークマターは、集められた。
集められたところにできたのは、大きな腕の軌道、中位の腕の軌道、小さな腕の軌道でした。
最大のジェットが届く半径のダークマターは、集められたので、この空間にダークマターは存在しない。
この場は現在、ハローになっている。
・１０−１６ｍ時代、１ｍ３の原子数はいくらか。
最大のジェットが届く体積から集められたダークマターである電子のラブと陽子のラブは銀河系の質量になった。
１ｍ３の原子数＝銀河系の質量の原子数÷最大のジェットが届く体積＝６×１０１１×１．２×１０５７個÷｛４π÷３×（５．５６７×１０１３＋３ｍ）３｝＝７．２×１０６８個÷（４π÷３×１．７２５×１０５０）＝９．９７×１０１７個
１０−１６ｍ時代、１ｍ３に９．９７０×１０１７個の原子が存在した。
この場に実際に存在するのは、原子ではなく、自転する電子のラブと陽子のラブが存在するので、１ｍ３に９．９７×１０１７個の電子のラブと、９．９７×１０１７個の陽子のラブが存在する。
・最大のジェットが届いた時の大きさは、現在の大きさの何倍か。
最大のジェットが届いた半径は、現在、ハローの半径になっていますから、
最大のジェットが届いた半径÷ハローの半径＝５．５６７×１０１３Ｋｍ÷（７．５×１０４×９．４６×１０１２Ｋｍ）＝７．８４６×１０−５
最大のジェットが届いた半径は、現在のハローの半径の７．８４６×１０−５倍です。
最大のジェットが届いた時の大きさは、現在の大きさの７．８４６×１０−５倍です。
・現在の大きさは、最大のジェットが届いた時の大きさの何倍か。
現在のハローの半径は、最大のジェットが届いた時の最大のジェットの半径です。
ハローの半径÷最大のジェットが届いた半径＝７．５×１０４×９．４６×１０１２Ｋｍ÷（５．５６７×１０１３Ｋｍ）＝１．２７４×１０４
現在のハローの半径は、最大のジェットが届いた半径の１．２７４×１０４倍です。
現在の大きさは、最大のジェットが届いた時の大きさの１．２７４×１０４倍です。
・ダークマターが集められた最大半径はどこか。
ダークマターは大きな腕の軌道まで集まった。
ダークマターが集められた最大半径は大きな腕の軌道です。
・大きな腕の軌道の半径どれくらいか。
現在の大きな腕の半径は、４×１０４×９．４６×１０１２Ｋｍ＝３．７８４×１０１７Ｋｍです。
ダークマターが集められた時は、最大のジェットが届いた時ですから、大きさは、現在の大きさの７．８４６×１０−５倍です。
ダークマターが集められた時、大きな腕の軌道の半径は、
現在の大きな腕の半径×７．８４６×１０−５＝３．７８４×１０１７Ｋｍ×７．８４６×１０−５＝２．９６９×１０１３Ｋｍです。
よって、ダークマターが集められた最大半径は大きな腕の軌道の半径で、２．９６９×１０１３Ｋｍです。
・どのように大きい腕はできたか。
１０−１６ｍ時代、最大のジェットが届いた時、最大ジェットは、半径５．５６７×１０１３Ｋｍまで届きダークマターを活性化した。活性化した電子のラブと陽子のラブは半径２．９６９×１０１３Ｋｍまでひきつけられた。
半径２．９６９×１０１３Ｋｍまでの軌道に、たくさんの電子のラブと陽子のラブが集まりこの部分にジェットが当たり、中央には、１．２４７×１０４太陽質量のブラックホールができた。大きな腕の質量は２．４９４×１０９太陽質量になった。
このように大きいブラックホール質量と周囲の質量は、ブラックホールの素子が外から集まったのでできました。
同様に、中位の腕の軌道と小さい腕の軌道ができました。
腕の軌道は、バルジと結合し、腕に成りました。
ダークマターが集められた時、中位の腕の軌道の半径は、
現在の中位の腕の半径×７．８４６×１０−５＝３×１０４×９．４６×１０１２Ｋｍ×７．８４６×１０−５＝２．８３８×１０１７Ｋｍ×７．８４６×１０−５＝２．２２７×１０１３Ｋｍです。
ダークマターが集められた時、小さい腕の軌道の半径は、
現在の小さい腕の半径×７．８４６×１０−５＝２×１０４×９．４６×１０１２Ｋｍ×７．８４６×１０−５＝１．８９２×１０１７Ｋｍ×７．８４６×１０−５＝１．４８４×１０１３Ｋｍです。
【請求項１５】
現在、ダークハローには１ｍ３に何個の原子が存在するか。
クエーサーの質量が最大に成り、ジェットの届く距離が最大に成った時、ジェットが届いた半径の球体から、銀河系の質量のダークマターが集まった。
１０−１６ｍ時代、１ｍ３に９．９７０×１０１７個の原子が存在した。ダークマターは自転する電子のラブと陽子のラブですから、ダークマターの数は、１ｍ３に２×９．９７０×１０１７個です。
それで、
１０−１４ｍの時代では、ダークマターの数は、１ｍ３に２×９．９７０×１０１７−６個＝２×９．９７０×１０１１個です。です。
ダークマターの自転軌道は、公転軌道は約１０−９ｍですから、１０−９−８ｍ＝１０−１７ｍです。
まとめて表に記す。
2008312441.tif 000030
【請求項１６】
渦巻銀河の生成はどのように行われるか。
渦巻き銀河の生成段階はつぎのようである。
▲１▼クエーサーの中心ができる。
▲２▼クエーサーの中心からジェットが上がる。
▲３▼ジェットはダークマター（１０−２４ｍの軌道で自転する電子のラブと陽子のラブ）を活性化し、中央に集める。
▲４▼中央のブラックホールの素子の質量は大きくなり、更に遠くまでジェットは届き、その場のダークマターを活性化し、中央の方向に集める。
▲５▼クエーサーの質量が最大に成りクエーサーが完成する。
クエーサーが完成した事は、クエーサーの質量が最大になった事です。
これを、“クエーサーは最大質量になり完成した”と名づける。
クエーサーの最大質量を太陽質量のβ倍とする。
▲６▼クエーサーの質量が最大と成り、太陽質量のβ倍になった時、ジェットが届く距離は、６．６×１０９×β１／３Ｋｍです。
この距離を、“ジェットが届く最大半径”と名づける。
“ジェットが届く最大半径”は、６．６×１０９×β１／３Ｋｍです。
“ジェットが届く最大半径”は、現在、ハローの最大半径です。
▲７▼“ジェットが届く最大半径”６．６×１０９×β１／３Ｋｍにジェットは届き、この範囲のダークマター（１０−２４ｍの軌道で自転する電子のラブと陽子のラブ）を活性化し、公転させる。
電子のラブと陽子のラブは公転する。
１０−１６ｍの時代、ジェットにより、ダークマターを活性化する事は、ダークマターである１０−２４ｍの軌道で自転する電子のラブと陽子のラブを公転させることです。
即ち、ジェットである電気の光子が、１０−２４ｍの軌道で自転する電子のラブと陽子のラブに付加し電子のラブと陽子のラブのエネルギーを高め、電子のラブを１０−１６ｍ、陽子のラブを１０−１９ｍで公転させることです。
−２７３℃であった電子のラブと陽子のラブを−２６０℃に高め、公転させる事です。
この事を“ダークマターの活性化”と名づける。
“ダークマターの活性化”とは、ジェットである電気の光子は、自転する電子のラブと陽子のラブに付加し電子のラブと陽子のラブのエネルギーを高め、公転させる事です。
▲８▼“ジェットが届く最大半径”６．６×１０９×β１／３Ｋｍから、活性化した、電子のラブと陽子のラブは中央の方向に集まる。
活性化した、電子のラブと陽子のラブは、大きい腕の軌道ができる所まで集まる。
この半径を、“活性化したダークマターが集められた最大半径”と名づける。
“活性化したダークマターが集められた最大半径”は、大きい腕の軌道ができる半径です。
▲９▼“ジェットが届く最大半径”６．６×１０９×β１／３Ｋｍから“活性化したダークマターが集められた最大半径”までには、ダークマターが存在せず、空白になる。
これを、“ダークマターが存在しない空白空間”と名づける。
“ダークマターが存在しない空白空間”とは、“ジェットが届く最大半径”６．６×１０９×β１／３Ｋｍから“活性化したダークマターが集められた最大半径”までで、この空間には、ダークマターが存在せず、空白です。
“ダークマターが存在しない空白空間”は、現在、ハローです。
▲１０▼クエーサーの中央でできるジェットは、大きい腕の軌道に届き、大きな腕の軌道を作る。
１０−１６ｍ時代、そこに存在するのは公転するブラックホールの素子ですから、大きい腕の軌道の中央にはブラックホールができる。
▲１１▼クエーサーの中央でできるジェットは、中位の腕の軌道に届き、中位の腕の軌道を作る。
１０−１６ｍ時代、そこに存在するのは公転するブラックホールの素子ですから、中位の腕の軌道の中央にはブラックホールができる。
▲１２▼クエーサーの中央でできるジェットは、小さい腕の軌道に届き、小さい腕の軌道を作る。
１０−１６ｍ時代、そこに存在するのは公転するブラックホールの素子ですから、小さい腕の軌道の中央にはブラックホールができる。
▲１３▼ダークマター密度の小さい部分に当たったジェットにより、質量の小さい星ができた。
これらの星が集まり、球状星団になる。
▲１４▼大きな腕の軌道、中位の腕の軌道、小さな腕の軌道、はバルジと結合し、大きな腕、中位の腕、小さな腕、になる。
【請求項１７】
ジェットは電気の光子です。ジェットの働きは何か。
ジェットが電気の光子であることによって、ジェットの働きは、ダークマターの温度を上げ、自転だけしていた電子のラブと陽子のラブを公転させる事であると理解できる。
私は、２００７年６月１５日に提出した、特願２００７−１８３７１８に、ダークマターの活性化について詳しく記した。
今回は、ジェットは電気の光子である事が理解できた。
この電気の光子がダークマターを活性化する。
【請求項１８】
ジェットが当たった所に何ができるか。
４×１０−１７ｍ時代、ジェットが当たった所には、クエーサーの中心ができた。クエーサーの中心のブラックホールができた。
１０−１６ｍ時代、ジェットが当たった所には、クエーサーや腕の軌道ができた。腕の中心のブラックホールができた。
ダークマターの密度が小さい部分では質量の小さい星ができる。星が集まり球状星団になる。
１０−１５ｍ時代、ジェットが当たった所には、星ができた。
１０−１４ｍ時代、ジェットが当たった所には、小惑星ができた。ブラックホールに近い高エネルギーの場では星ができる。
ジェットが当たった所にできる物。
2008312441.tif 000031
【発明の詳細な説明】
【技術分野】
【０００１】  この発明は、星や銀河やクエーサーが放出する磁気とジェットに関する。銀河系の大きな腕、中位の腕、小さな腕でできる磁気が届く距離に関する。その仕事に関する。銀河系の生成に関する。渦巻銀河の生成に関する。
【背景技術】
【０００２】  従来、星や銀河やクエーサーが放出する磁気とジェットの届く距離や、エネルギーやジェットは何であるか、については理解されていない。
銀河系の大きな腕、中位の腕、小さな腕がどうして衝突しないか、大きな腕、中位の腕、小さな腕の中央から放出する磁気については理解されていない。
銀河系の詳細については理解されていない。
【発明の開示】
磁気帯ができる原理とジェットが噴出する原理は同じです。
同じ原理であるならば、磁気が届く距離とジェットが届く距離は同じような式で求められるはずです。
また、磁気が届く距離を求める式とジェットが届く距離を求める式から、何が放出しているのかが理解できます。
磁気が放出する場からジェットは放出します。
磁気が届く距離＝出発する場のＡ２×定数
ジェットが届く距離＝出発する場のＡ２×定数、として表現できるはずです。
出発する場を、核融合の場とブラックホールの場について考える。
この事によって、
磁気の距離は、放出するエネルギー×８．７Ｋｍであり、
ジェットの距離は、放出するエネルギー×３９．３９Ｋｍである、と推測できる。
磁気が届く距離とジェットが届く距離の関係はどのようになっているか。
この事から、ジェットは何であるかがわかる。
放出する磁気の光子（磁気）のエネルギーは、放出する電気の光子（ジェット）のエネルギーの何倍であるか。放出する電気の光子（ジェット）のエネルギーと放出する磁気の光子（磁気）のエネルギーの関係式はどのようであるか。放出する電気の光子（ジェット）のエネルギーはできる電気の光子のエネルギーのどれくらいになるか。
この事から、エネルギーは、
磁気の距離は、放出するエネルギー×８．７Ｋｍであり、
ジェットの距離は、放出するエネルギー×３９．３９Ｋｍである、と推測した事が正しいと理解できる。
大きな腕、中位の腕、小さな腕の中央から放出する磁気は腕の周囲まで届き、腕を守っていると考える。
現在、ハローになっている部分までジェットは届き、その部分のダークマターを活性化した。活性化した電子のラブと陽子のラブは、大きい腕ができた軌道まで集まった、と考える。
【発明が解決しようとする課題】
【０００３】１．磁気帯ができる原理とジェットが噴出する原理は同じです。
２．磁気が届く距離を求める式とジェットが届く距離を求める式はどのようであるか。
３．銀河やクエーサーの中心は、核融合反応の場ではなく、ブラックホールです。中心がブラックホールの場合、磁気が届く距離とジェットが届く距離はどのような式で求められるか。
４．星の磁気が届く距離は星のジェットが届く距離の何倍か。
５．星の磁気が届く距離と星のジェットが届く距離が等しい時、星の質量は太陽質量の何倍か。
６．銀河やクエーサーの磁気の届く距離は、銀河やクエーサーのジェットの届く距離の何倍か。
７．銀河やクエーサーの磁気の届く距離と銀河やクエーサーのジェットの届く距離が等しい時、銀河やクエーサーの質量は太陽質量の何倍か。
８．磁気が届く距離とジェットが届く距離の関係はどのようになっているか。
９．磁気放出の原理はなにか。ジェット放出の原理はなにか。
１０．放出する磁気の光子（磁気）のエネルギーは、放出する電気の光子（ジェット）のエネルギーの何倍であるか。放出する電気の光子（ジェット）のエネルギーと放出する磁気の光子（磁気）のエネルギーの関係式はどのようであるか。放出する電気の光子（ジェット）のエネルギーはできる電気の光子のエネルギーのどれくらいになるか。
１１．銀河系の大きな腕、中位の腕、小さい腕、の中央にはブラックホールがある。このブラックホールでできる磁気の光子が届く距離はいくらか。腕の質量は太陽質量の何倍であるか。磁気の仕事は何か。
１２．銀河系の大きな腕、中位の腕、小さい腕、の中央にはブラックホールがある。このブラックホールでできるジェットが届く距離はいくらか。大きな腕、中位の腕、小さい腕、の中央ブラックホールのＡはいくらか。
１３．銀河系の生成。１０−１６ｍ時代、クエーサーが存在する場で、銀河系の質量のダークマターが集められ、大きな腕の軌道、中位の腕の軌道、小さい腕の軌道ができた、と考える場合。
１４．銀河系の生成。１０−１６ｍ時代、銀河系の質量が集められ、その質量でできるジェットが届く距離は、ジェットが届いた最大半径であり、それは現在、ハローになっていると考える場合。
１５．現在、ダークハローには１ｍ３に何個の原子が存在するか。
１６．渦巻銀河の生成はどのように行われるか。
１７．ジェットは電気の光子です。ジェットの働きは何か。
１８．ジェットが当たった所に何ができるか。
【発明の実施態様】
【０００５】１．磁気帯ができる原理とジェットが噴出する原理は同じです。
同じ原理であるならば、磁気が届く距離とジェットが届く距離は同じような式で求められるはずです。
また、磁気が届く距離を求める式とジェットが届く距離を求める式から、何が放出しているのかが理解できます。
２．磁気が届く距離を求める式とジェットが届く距離を求める式はどのようであるか。
式の比較。
磁気が放出する場から、ジェットは放出します。
ジェットが出る場のエネルギー＝磁気の光子が出る場のエネルギー＝Ａ２（熱としてＡ２℃）
磁気が届く距離は出発する場のエネルギーに比例する。
ジェットが届く距離は出発する場のエネルギーに比例する。
それで、
磁気が届く距離＝出発する場のＡ２×定数
ジェットが届く距離＝出発する場のＡ２×定数、として表現できるはずです。
出発する場を、核融合の場とブラックホールの場について考える。
磁気が届く距離＝Ａ２×８．７Ｋｍ
ジェットが届く距離＝太陽の半径×８４９×星のＡ÷核融合の場のＡ＝６．９６×１０５Ｋｍ×８４９×星のＡ÷（３．８７３×１０３）
▲１▼太陽の場合。核融合の場を基本にした場合。
ａ太陽の中央のＡを核融合の場とする場合。
ｂ太陽の中央のＡをＡとする場合。これは、太陽の中央は核融合の場のＡより大きいと考えるからです。
ａ太陽の中央のＡを核融合の場のＡとする場合。
磁気が届く距離＝Ａ２×８．７Ｋｍ＝（３．８７３×１０３）２×８．７Ｋｍ
ジェットが届く距離
＝太陽の半径×８４９×核融合の場のＡ÷核融合の場のＡ
＝太陽の半径×８４９＝６．９６×１０５Ｋｍ×８４９
＝核融合の場のＡ２×ｘ＝（３．８７３×１０３）２×ｘ
ｘ＝６．９６×１０５Ｋｍ×８４９÷（３．８７３×１０３）２＝３９．３９Ｋｍ
よって、ジェットが届く距離＝（３．８７３×１０３）２×３９．３９Ｋｍ
ｂ太陽の中央のＡをＡとする場合。
磁気が届く距離＝Ａ２×８．７Ｋｍ
ジェットが届く距離
＝太陽の半径×８４９×太陽のＡ÷核融合の場のＡ
＝６．９６×１０５Ｋｍ×８４９×太陽のＡ÷（３．８７３×１０３）
＝（３．８７３×１０３）２×３９．３９Ｋｍ×太陽のＡ÷（３．８７３×１０３）
＝１．５２６×１０５ｋｍ×太陽のＡ
▲２▼星の場合。核融合の場を基本にした場合。
星の質量が太陽質量のＫ倍である場合。
星のＡ＝核融合の場のＡ×Ｋ＝３．８７３×１０３×Ｋ
星の磁気が届く距離
＝星のＡ２×８．７Ｋｍ
＝（３．８７３×１０３×Ｋ）２×８．７Ｋｍ
＝（３．８７３×１０３）２×Ｋ２×８．７Ｋｍ＝１．３０５×１０８Ｋｍ×Ｋ２
星のジェットが届く距離
＝太陽の半径×８４９×星のＡ÷核融合の場のＡ
＝６．９６×１０５Ｋｍ×８４９×星のＡ÷（３．８７３×１０３）
＝（３．８７３×１０３）２×３９．３９Ｋｍ×星のＡ÷（３．８７３×１０３）
＝（３．８７３×１０３）２×３９．３９Ｋｍ×３．８７３×１０３×Ｋ÷（３．８７３×１０３）
＝（３．８７３×１０３）２×３９．３９Ｋｍ×Ｋ＝星のＡ２÷Ｋ×３９．３９Ｋｍ
▲３▼銀河やクエーサーの場合。核融合の場を基本にした場合。
銀河やクエーサーの質量が太陽質量のβ倍の場合。
銀河やクエーサーのＡ＝４．３２５×１０４×β１／３＝核融合の場のＡ×ｘ
ｘ＝４．３２５×１０４×β１／３÷核融合の場のＡ＝４．３２５×１０４×β１／３÷（３．８７３×１０３）＝１１．１７×β１／３
銀河やクエーサーのＡ＝４．３２５×１０４×β１／３＝核融合の場のＡ×１１．１７×β１／３＝３．８７３×１０３×１１．１７×β１／３
銀河やクエーサーの磁気の届く距離
＝銀河とクエーサーのＡ２×８．７Ｋｍ
＝（４．３２５×１０４×β１／３）２×８．７Ｋｍ
＝（核融合の場のＡ×１１．１７×β１／３）２×８．７Ｋｍ
＝（３．８７３×１０３×１１．１７×β１／３）２×８．７Ｋｍ
＝（３．８７３×１０３）２×１２４．７×β２／３×８．７Ｋｍ
＝（３．８７３×１０３）２×１．０８５×１０３×β２／３Ｋｍ
＝１．６２７×１０１０×β２／３Ｋｍ
銀河やクエーサーのジェットの届く距離
＝（３．８７３×１０３）２×３９．３９Ｋｍ×銀河やクエーサーのＡ÷（３．８７３×１０３）
＝（３．８７３×１０３）２×３９．３９Ｋｍ×４．３２５×１０４×β１／３÷（３．８７３×１０３）
＝（３．８７３×１０３）２×３９．３９Ｋｍ×核融合の場のＡ×１１．１７×β１／３÷（３．８７３×１０３）
＝（３．８７３×１０３）２×３９．３９Ｋｍ×１１．１７×β１／３
＝（３．８７３×１０３）２×４．４×１０２×β１／３Ｋｍ
＝６．５９８×１０９×β１／３Ｋｍ
３．銀河やクエーサーの中心は、核融合反応の場ではなく、ブラックホールです。中心がブラックホールの場合、磁気が届く距離とジェットが届く距離はどのような式で求められるか。
クエーサーや銀河の場合。ブラックホールを基本にした場合。
銀河やクエーサーのＡ＝４．３２５×１０４×β１／３＝ブラックホールのＡ×ｘ
ｘ＝４．３２５×１０４×β１／３÷ブラックホールのＡ＝４．３２５×１０４×β１／３÷（７．３７８×１０５）＝５．８６２×１０−２×β１／３
銀河やクエーサーのＡ＝４．３２５×１０４×β１／３＝ブラックホールのＡ×５．８６２×１０−２×β１／３＝７．３７８×１０５×５．８６２×１０−２×β１／３
銀河やクエーサーの磁気が届く距離
＝Ａ２×８．７Ｋｍ
＝（４．３２５×１０４×β１／３）２×８．７Ｋｍ
＝（ブラックホールのＡ×５．８６２×１０−２×β１／３）２×８．７Ｋｍ
＝ブラックホールのＡ２×３４．３６×１０−４×β２／３×８．７Ｋｍ
＝（７．３７８×１０５）２×３４．３６×１０−４×β２／３×８．７Ｋｍ
＝（７．３７８×１０５）２×２．９８９×１０−２×β２／３Ｋｍ
＝１．６２７×１０１０×β２／３Ｋｍ
銀河やクエーサーのジェットが届く距離
＝ブラックホールのＡ２×定数×銀河やクエーサーのＡ÷ブラックホールのＡ
＝（７．３７８×１０５）２×定数×ブラックホールのＡ×５．８６２×１０−２×β１／３÷ブラックホールのＡ
＝（７．３７８×１０５）２×定数×５．８６２×１０−２×β１／３＝３．１９１×１０１０×β１／３×定数
銀河やクエーサーのジェットが届く距離＝６．６×１０９×β１／３Ｋｍ＝３．１９１×１０１０×β１／３×定数
定数＝６．６×１０９×β１／３Ｋｍ÷（３．１９１×１０１０×β１／３）＝２．０６８×１０−１Ｋｍ
よって、
銀河やクエーサーのジェットが届く距離
＝ブラックホールのＡ２×定数×銀河やクエーサーのＡ÷ブラックホールのＡ
＝（７．３７８×１０５）２×２．０６８×１０−１Ｋｍ×ブラックホールのＡ×５．８６２×１０−２×β１／３÷ブラックホールのＡ
＝（７．３７８×１０５）２×０．２０６８Ｋｍ×５．８６２×１０−２×β１／３
＝（７．３７８×１０５）２×１．２１２×１０−２×β１／３Ｋｍ
＝６．６×１０９Ｋｍ×β１／３
まとめて表に示す。
2008312441.tif 000003
2008312441.tif 000004
４．星の磁気が届く距離は星のジェットが届く距離の何倍か。
星の磁気が届く距離÷星のジェットが届く距離＝星のＡ２×８．７Ｋｍ÷（星のＡ２÷Ｋ×３９．３９）＝０．２２１×Ｋ
星の磁気が届く距離は星のジェットが届く距離の０．２２１×Ｋ倍です。
５．星の磁気が届く距離と星のジェットが届く距離が等しい時、星の質量は太陽質量の何倍か。
星の磁気の届く距離＝星のジェットの届く距離
星のＡ２×８．７Ｋｍ＝星のＡ２÷Ｋ×３９．３９
Ｋ＝３９．３９÷８．７＝４．５２８
星の質量が太陽質量の４．５２８倍の場合、星の磁気が届く距離と星のジェットが届く距離は等しい
６．銀河やクエーサーの磁気の届く距離は、銀河やクエーサーのジェットの届く距離の何倍か。
銀河やクエーサーの磁気の届く距離÷銀河やクエーサーのジェットの届く距離＝１．６２７×１０１０×β２／３Ｋｍ÷（６．５９８×１０９×β１／３Ｋｍ）＝２．４６６×β１／３（倍）
銀河やクエーサーの磁気の届く距離は、銀河やクエーサーのジェットの届く距離の２．４６６×β１／３倍です。
７．銀河やクエーサーの磁気の届く距離と銀河やクエーサーのジェットの届く距離が等しい時、銀河やクエーサーの質量は太陽質量の何倍か。
１．６２７×１０１０×β２／３Ｋｍ＝６．６×１０９×β１／３Ｋｍ
β１／３＝０．４０５７
β＝０．４０５７３＝０．０６６８
銀河やクエーサーの質量は太陽質量の０．０６６８倍です。
よって、このような事はない。
常に、銀河やクエーサーの磁気の届く距離は、銀河やクエーサーのジェットの届く距離より長い。軌道は大きい。磁気が銀河やクエーサーを覆っている。
８．磁気が届く距離とジェットが届く距離の関係はどのようになっているか。
星の場合。
太陽質量のＫ倍の星の場合。
磁気が届く距離＝星のＡ２×８．７Ｋｍ
＝（３．８７３×１０３×Ｋ）２×８．７Ｋｍ
＝１．３０５×１０８Ｋｍ×Ｋ２
ジェットが届く距離＝３．８７３×１０３×３９．３９Ｋｍ×星のＡ
＝（３．８７３×１０３）２×３９．３９Ｋｍ×Ｋ
＝５．９０９×１０８Ｋｍ×Ｋ
これをグラフにする。
縦軸を距離とし、距離を×１．３０８×１０８Ｋｍとする。横軸をＫとする。
磁気が届く距離＝１．３０５×１０８Ｋｍ×Ｋ２÷（１．３０５×１０８Ｋｍ）＝Ｋ２
ジェットが届く距離＝５．９０９×１０８Ｋｍ×Ｋ÷（１．３０５×１０８Ｋｍ）＝４．５２８×Ｋ
磁気が届く距離は２次関数のグラフで示される。
ジェットが届く距離は１次関数のグラフで示される。
また、
磁気の届く距離：ジェットの届く距離＝１．３０５×１０８Ｋｍ×Ｋ２：５．９０９×１０８Ｋｍ×Ｋ＝Ｋ２：４．５２８×Ｋ
銀河とクエーサーの場合。
太陽質量のβ倍の銀河とクエーサーの場合。
磁気の届く距離＝１．６２７×１０１０Ｋｍ×β２／３
ジェットの届く距離＝６．６×１０９Ｋｍ×β１／３
これをグラフにする。
縦軸を距離とし、距離を×６．６×１０９Ｋｍとする。横軸をβ１／３＝ａとする。
磁気の届く距離＝１．６２７×１０１０Ｋｍ×β２／３÷（６．６×１０９Ｋｍ）＝２．４６５×β２／３＝２．４６５×ａ２
ジェットの届く距離＝６．６×１０９Ｋｍ×β１／３÷（６．６×１０９Ｋｍ）＝β１／３＝ａ
磁気が届く距離は２次関数のグラフで示される。
ジェットが届く距離は１次関数のグラフで示される。
また、
磁気の届く距離：ジェットの届く距離＝１．６２７×１０１０Ｋｍ×β２／３：６．６×１０９Ｋｍ×β１／３＝２．４６５×β２／３：β１／３＝２．４６５×ａ２：ａ
これらの式により理解できる事。
１．磁気の届く距離：ジェットの届く距離＝Ａ２：Ａです。
２．磁気やジェットが届く距離は、エネルギーの大きさに比例すると考えると、磁気のエネルギーはジェットのエネルギーの２乗です。
それで、磁気のエネルギーは磁気の光子のエネルギーで、ジェットのエネルギーは電気の光子のエネルギーです。
３．核融合の場でできた磁気の光子のエネルギーと、電気の光子のエネルギーは同じです。
４．電気の光子のエネルギーは熱になり消滅します。しかし、Ａ２のエネルギーのうちＡのエネルギーは残る。この残った電気の光子のエネルギーがジェットに成ると考えられる。
５．磁気の光子は消滅することなくそのまま磁気として放出する。
６．それで、放出する磁気の光子のエネルギーはＡ２であり、放出する電気の光子であるジェットのエネルギーはＡです。
９．磁気放出の原理はなにか。ジェット放出の原理はなにか。
Ａ＝１の場合、これは地表です。
１原子が１秒間に作るエネルギーは熱エネルギーとして１℃です。
Ａの場において、１原子が１秒間に作る磁気の光子のエネルギーは、温度に換算するとＡ℃です。Ｊで示すと、Ａ×２７３×１．３８０６５×１０−２３Ｊ＝３．７６９×１０−２１Ｊ×Ａです。
Ａの場において、１個の原子が１秒間に作る、
磁気の光子は３．７６９×１０−２１Ｊ×Ａです。
電気の光子は３．７６９×１０−２１Ｊ×Ａです。
Ａの場において、１．０５８×１０−１０ｍにはＡ個の原子が存在します。
Ａ個の原子が１秒間に作る、
磁気の光子は３．７６９×１０−２１Ｊ×Ａ２です。
電気の光子は３．７６９×１０−２１Ｊ×Ａ２です。
・磁気の光子の場合。
Ａの場において、Ａ個の原子が１秒間に作る、磁気の光子は３．７６９×１０−２１Ｊ×Ａ２です。
この磁気の光子がが放出し、磁気帯になります。
・電気の光子の場合。
Ａの場において、Ａ個の原子が１秒間に作る、電気の光子は３．７６９×１０−２１Ｊ×Ａ２＝Ａ２℃です。
しかし、ジェットのエネルギーは、３．７６９×１０−２１Ｊ×Ａです。
この事は、できた電気の光子のエネルギー１／２は熱になり消費され、残りの電気の光子のエネルギー１／２はジェットのエネルギーになる事を示す。
１０．放出する磁気の光子（磁気）のエネルギーは、放出する電気の光子（ジェット）のエネルギーの何倍であるか。放出する電気の光子（ジェット）のエネルギーと放出する磁気の光子（磁気）のエネルギーの関係式はどのようであるか。放出する電気の光子（ジェット）のエネルギーはできる電気の光子のエネルギーのどれくらいになるか。
放出する磁気やジェットのエネルギーと、磁気やジェットが届く距離を次のように考える。
星の磁気のエネルギー＝Ａ２
星のジェットのエネルギー＝星のＡ×３．８７３×１０３
銀河やクエーサーの磁気のエネルギー＝銀河やクエーサーのＡ２＝（４．３２５×１０４×β１／３）２
銀河やクエーサーのジェットのエネルギー＝銀河やクエーサーのＡ×３．８７３×１０３＝４．３２５×１０４×β１／３×３．８７３×１０３
星の磁気の届く距離＝Ａ２×８．７Ｋｍ＝星の磁気のエネルギー×８．７Ｋｍ
星のジェットの届く距離＝星のＡ×３．８７３×１０３×３９．３９Ｋｍ＝星のジェットのエネルギー×３９．３９Ｋｍ
銀河やクエーサーの磁気の届く距離＝銀河やクエーサーのＡ２×８．７Ｋｍ＝（４．３２５×１０４×β１／３）２×８．７Ｋｍ＝銀河やクエーサーの磁気のエネルギー×８．７Ｋｍ
銀河やクエーサーのジェットの届く距離＝銀河やクエーサーのＡ×３．８７３×１０３×３９．３９Ｋｍ＝４．３２５×１０４×β１／３×３．８７３×１０３×３９．３９Ｋｍ＝銀河やクエーサーのジェットのエネルギー×３９．３９Ｋｍ
表に示す。次のように考える。
2008312441.tif 000005
・放出する磁気の光子（磁気）のエネルギーは、放出する電気の光子（ジェット）のエネルギーの何倍であるか。
▲１▼星の場合
放出する磁気の光子（磁気）のエネルギー÷放出する電気の光子（ジェット）のエネルギー
＝星のＡ２÷（星のＡ×３．８７３×１０３）
＝星のＡ÷（３．８７３×１０３）
放出する磁気の光子（磁気）のエネルギーは、放出する電気の光子（ジェット）のエネルギーの、星のＡ÷（３．８７３×１０３）倍です。
▲２▼銀河やクエーサーの場合。核融合の場を基本にした場合。
放出する磁気の光子（磁気）のエネルギー÷放出する電気の光子（ジェット）のエネルギー
＝銀河やクエーサーのＡ２÷（銀河やクエーサーのＡ×３．８７３×１０３）
＝銀河やクエーサーのＡ÷（３．８７３×１０３）
放出する磁気の光子（磁気）のエネルギーは、放出する電気の光子（ジェット）のエネルギーの、銀河やクエーサーのＡ÷（３．８７３×１０３）倍です。
▲３▼銀河やクエーサーの場合。ブラックホールの場を基本にした場合。
放出する磁気の光子（磁気）のエネルギー÷放出する電気の光子（ジェット）のエネルギー
＝（７．３７８×１０５）２×３４．３６×１０−４×β２／３÷｛（７．３７８×１０５）２×５．８６２×１０−２×β１／３｝
＝３４．３６×１０−４×β２／３÷（５．８６２×１０−２×β１／３）
＝５．８６１×１０−２×β１／３
＝４．３２５×１０４×β１／３÷（７．３７５×１０５）
＝銀河やクエーサーのＡ÷（７．３７５×１０５）
放出する磁気の光子（磁気）のエネルギーは、放出する電気の光子（ジェット）のエネルギーの、銀河やクエーサーのＡ÷（７．３７５×１０５）倍です。
・放出する電気の光子（ジェット）のエネルギーと放出する磁気の光子（磁気）のエネルギーの関係式はどのようであるか。
▲１▼星の場合。
放出する磁気の光子（磁気）のエネルギー
＝放出する電気の光子（ジェット）のエネルギー×星のＡ÷（３．８７３×１０３）
＝（星のＡ×３．８７３×１０３）×星のＡ÷（３．８７３×１０３）
＝（星のＡ×３．８７３×１０３）２÷（３．８７３×１０３）２
＝放出する電気の光子（ジェット）のエネルギー２÷核融合の場の温度
放出する電気の光子（ジェット）のエネルギー２＝放出する磁気の光子（磁気）のエネルギー×核融合の場の温度
放出する電気の光子（ジェット）のエネルギー
＝（放出する磁気の光子（磁気）のエネルギー×核融合の場の温度）１／２
＝放出する磁気の光子（磁気）のエネルギー１／２×核融合の場のＡ
▲２▼銀河やクエーサーの場合。核融合の場を基本にした場合。
放出する磁気の光子（磁気）のエネルギー
＝放出する電気の光子（ジェット）のエネルギー×銀河やクエーサーのＡ÷（３．８７３×１０３）
＝（銀河やクエーサーのＡ×３．８７３×１０３）×銀河やクエーサーのＡ÷（３．８７３×１０３）
＝（銀河やクエーサーのＡ×３．８７３×１０３）２÷（３．８７３×１０３）２
＝放出する電気の光子（ジェット）のエネルギー２÷核融合の場の温度
放出する電気の光子（ジェット）のエネルギー２＝放出する磁気の光子（磁気）のエネルギー×核融合の場の温度
放出する電気の光子（ジェット）のエネルギー
＝（放出する磁気の光子（磁気）のエネルギー×核融合の場の温度）１／２
＝放出する磁気の光子（磁気）のエネルギー１／２×核融合の場のＡ
▲３▼銀河やクエーサーの場合。ブラックホールの場を基本にした場合。
放出する磁気の光子（磁気）のエネルギー
＝放出する電気の光子（ジェット）のエネルギー×銀河やクエーサーのＡ÷（７．３７５×１０５）
＝放出する電気の光子（ジェット）のエネルギー×４．３２５×１０４×β１／３÷（７．３７５×１０５）
＝（７．３７５×１０５）２×４．３２５×１０４×β１／３÷（７．３７５×１０５）×４．３２５×１０４×β１／３÷（７．３７５×１０５）
＝（４．３２５×１０４×β１／３×７．３７５×１０５）２÷（７．３７５×１０５）２
＝放出する電気の光子（ジェット）のエネルギー２÷ブラックホールの場の温度
放出する電気の光子（ジェット）のエネルギー２＝放出する磁気の光子（磁気）のエネルギー×ブラックホールの場の温度
放出する電気の光子（ジェット）のエネルギー
＝（放出する磁気の光子（磁気）のエネルギー×ブラックホールの場の温度）１／２
＝放出する磁気の光子（磁気）のエネルギー１／２×ブラックホールの場の温度１／２
＝放出する磁気の光子（磁気）のエネルギー１／２×ブラックホールの場のＡ
・放出する電気の光子（ジェット）のエネルギーはできる電気の光子のどれくらいになるか。
▲１▼星の場合
星の中央でできる電気の光子のエネルギー＝星の中央でできる磁気の光子のエネルギー、です。
放出する電気の光子（ジェット）のエネルギー
＝放出する磁気の光子（磁気）のエネルギー１／２×核融合の場のＡ
＝星の中央でできる磁気の光子のエネルギー１／２×核融合の場のＡ
＝星の中央でできる電気の光子のエネルギー１／２×核融合の場のＡ
即ち、放出する電気の光子（ジェット）のエネルギー＝星の中央でできる電気の光子のエネルギー１／２×核融合の場のＡ、です。
▲２▼銀河やクエーサーの場合。核融合の場を基本にした場合。
銀河やクエーサーの中央でできる電気の光子のエネルギー＝銀河やクエーサーの中央でできる磁気の光子のエネルギー、です。
放出する電気の光子（ジェット）のエネルギー
＝放出する磁気の光子（磁気）のエネルギー１／２×核融合の場のＡ
＝銀河やクエーサーの中央でできる磁気の光子のエネルギー１／２×核融合の場のＡ
＝銀河やクエーサーの中央でできる電気の光子のエネルギー１／２×核融合の場のＡ
即ち、放出する電気の光子（ジェット）のエネルギー＝銀河やクエーサーの中央でできる電気の光子のエネルギー１／２×核融合の場のＡ、です。
▲３▼銀河やクエーサーの場合。ブラックホールの場を基本にした場合。
銀河やクエーサーの中央のブラックホールできる電気の光子のエネルギー＝銀河やクエーサーの中央のブラックホールでできる磁気の光子のエネルギー、です。
放出する電気の光子（ジェット）のエネルギー
＝放出する磁気の光子（磁気）のエネルギー１／２×ブラックホールの場のＡ
＝銀河やクエーサーの中央のブラックホールでできる磁気の光子のエネルギー１／２×ブラックホールの場のＡ
＝銀河やクエーサーの中央のブラックホールでできる電気の光子のエネルギー１／２×ブラックホールの場のＡ
即ち、放出する電気の光子（ジェット）のエネルギー＝銀河やクエーサーの中央のブラックホールでできる電気の光子のエネルギー１／２×ブラックホールの場のＡ、です。
この式によって理解できる事。
１．星の場合においても、銀河やクエーサーの場合においても、
放出する磁気の光子（磁気）のエネルギーは、放出する電気の光子（ジェット）のエネルギー２÷核融合の場の温度  です。
２．星の場合においても、銀河やクエーサーの場合においても、
放出する電気の光子（ジェット）のエネルギーは、放出する磁気の光子（磁気）のエネルギー１／２×核融合の場の温度１／２です。
３．銀河やクエーサーの場合、ブラックホールの場を基本にした場合、
放出する電気の光子（ジェット）のエネルギーは、放出する磁気の光子（磁気）のエネルギー１／２×ブラックホールの場の温度１／２です。これは、核融合の場を基本に考えた式から導き出した式を使っているからです。距離がこの分小さくなっている。
４．星の場合においても、銀河やクエーサーの場合においても、
放出する電気の光子（ジェット）のエネルギー＝核融合の場でできる電気の光子のエネルギー１／２×核融合の場のＡ、です。
５．銀河やクエーサーの場合、ブラックホールの場を基本にした場合、
放出する電気の光子（ジェット）のエネルギー＝ブラックホールの場でできる電気の光子のエネルギー１／２×ブラックホールの場のＡ、です。
１１．銀河系の大きな腕、中位の腕、小さい腕、の中央にはブラックホールがある。このブラックホールでできる磁気の光子が届く距離はいくらか。腕の質量は太陽質量の何倍であるか。磁気の仕事は何か。
私は、２００８年１月４日に提出した、特願２００８−２３３０９の「請求項２５」で、腕の中心に太陽質量の何倍のブラックホールが存在するか、を記した。
それは次のようです。
まとめて表に記す。
2008312441.tif 000006
磁気の届く距離＝Ａ２×８．７Ｋｍ＝（４．３２５×１０４×β１／３）２×８．７Ｋｍ
腕の中心のブラックホールから放出する、磁気が届く距離を求めるためには、腕の質量が太陽質量の何倍であるかを知る必要がある。
・それでは、腕の質量は太陽質量の何倍であるか。
銀河系の質量は、６×１０１１太陽質量で、中心核のブラックホールの質量は、３×１０６太陽質量です。
中心核のブラックホールの質量は、全体の質量に比例すると考えます。
そのように考えて、中心のブラックホールの質量から腕の質量を求める。
小さい腕の質量＝小さい腕の中心のブラックホールの質量×銀河系の質量÷銀河系の中心
核のブラックホールの質量＝１．５５８×１０３×６×１０１１÷（３×１０６）＝３．１１６×１０８
小さい腕の質量は、３．１１６×１０８太陽質量です。
中位の腕の質量＝中位の腕の中心のブラックホールの質量×銀河系の質量÷銀河系の中心
核のブラックホールの質量＝５．２５２×１０３×６×１０１１÷（３×１０６）＝１．０５０×１０９
中位の腕の質量は、１．０５０×１０９太陽質量です。
大きい腕の質量＝大きい腕の中心のブラックホールの質量×銀河系の質量÷銀河系の中心
核のブラックホールの質量＝１．２４７×１０４×６×１０１１÷（３×１０６）＝２．４９４×１０９
大きい腕の質量は、２．４９４×１０９太陽質量です。
・大きな腕、中位の腕、小さい腕のブラックホールでできる磁気の光子が届く距離はいくらか。
小さい腕のブラックホールでできる磁気の光子が届く距離＝１．６２７×１０１０×β２／３Ｋｍ＝１．６２７×１０１０×（３．１１６×１０８）２／３Ｋｍ＝１．６２７×１０１０×（０．３１１６×１０９）２／３Ｋｍ＝１．６２７×１０１０×０．０９７１／３×１０６Ｋｍ＝１．６２７×１０１０×０．４６×１０６Ｋｍ＝７．４８４×１０１５Ｋｍ
小さい腕のブラックホールでできる磁気の光子が届く距離は、７．４８４×１０１５Ｋｍです。
これは、７．４８４×１０１５Ｋｍ÷（９．４６×１０１２Ｋｍ）＝７．９１１×１０２光年です。
中位の腕のブラックホールでできる磁気の光子が届く距離＝１．６２７×１０１０×β２／３Ｋｍ＝１．６２７×１０１０×（１．０５０×１０９）２／３Ｋｍ＝１．６２７×１０１０×１．０５０２／３×１０６Ｋｍ＝１．６２７×１０１０×１．１０２５１／３×１０６Ｋｍ＝１．６２７×１０１０×１．０３３×１０６Ｋｍ＝１．６８１×１０１６Ｋｍ
中位の腕のブラックホールでできる磁気の光子が届く距離は、１．６８１×１０１６Ｋｍです。
これは、１．６８１×１０１６Ｋｍ÷（９．４６×１０１２Ｋｍ）＝１．７７７×１０３光年です。
大きい腕のブラックホールでできる磁気の光子が届く距離＝１．６２７×１０１０×β２／３Ｋｍ＝１．６２７×１０１０×（２．４９４×１０９）２／３Ｋｍ＝１．６２７×１０１０×２．４９４２／３×１０６Ｋｍ＝１．６２７×１０１０×６．２２０１／３×１０６Ｋｍ＝１．６２７×１０１０×１．８３９×１０６Ｋｍ＝２．９９２×１０１６Ｋｍ
大きい腕のブラックホールでできる磁気の光子が届く距離は、２．９９２×１０１６Ｋｍです。
これは、２．９９２×１０１６Ｋｍ÷（９．４６×１０１２Ｋｍ）＝３．１６３×１０３光年です。
私は、腕の中心のブラックホールでできる磁気は、腕を包囲していると考えます。
・腕の半径はいくらか。
太陽系の近くの厚さは、約５０００光年です。
半径は、２５００光年です。
それでは、
・磁気が届く距離が２５００光年であるためには、腕の質量はいくらでなければいけないか。
磁気の届く距離＝２．５×１０３×９．４６×１０１２Ｋｍ＝２．３６５×１０１６Ｋｍ
Ａ２×８．７Ｋｍ＝２．３６５×１０１６Ｋｍ
Ａ２＝２．３６５×１０１６Ｋｍ÷８．７Ｋｍ＝２．７１８×１０１５
Ａ＝（２．７１８×１０１５）１／２＝５．２１３×１０７
４．３２５×１０４×β１／３＝５．２１３×１０７
β１／３＝５．２１３×１０７÷（４．３２５×１０４）＝１．２０５×１０３
β＝（１．２０５×１０３）３＝１．７５０×１０９
磁気が届く距離が２５００光年であるためには、腕の質量は、１．７５０×１０９太陽質量でなければならない。
私が求めた、中位の腕の質量は、１．０５０×１０９太陽質量です。
磁気が届く距離が２５００光年であるためには、腕の質量は、１．７５０×１０９太陽質量です。
私が求めた値は、１．０５０×１０９太陽質量÷（１．７５０×１０９太陽質量）×１００＝６０パーセントです。
私が求めた、大きい腕の質量は、２．４９４×１０９太陽質量です。
磁気が届く距離が２５００光年であるためには、腕の質量は、１．７５０×１０９太陽質量です。
私が求めた値は、２．４９４×１０９太陽質量÷（１．７５０×１０９太陽質量）×１００＝１４２．５パーセントです。
このことによって理解できる事。
１．腕の中心のブラックホールから放出する磁気は、腕を包囲し、腕の星星を守っている。
２．腕と腕が衝突しないように守っている。
３．腕の星達が腕から散らばらないようにガードしている。
１２．銀河系の大きな腕、中位の腕、小さい腕、の中央にはブラックホールがある。このブラックホールでできるジェットが届く距離はいくらか。大きな腕、中位の腕、小さい腕、の中央ブラックホールのＡはいくらか。
ジェットの届く距離＝６．６×１０９Ｋｍ×β１／３
小さい腕のブラックホールでできるジェットが届く距離＝６．６×１０９Ｋｍ×（３．１１６×１０８）１／３＝６．６×１０９Ｋｍ×０．３１１６１／３×１０３＝６．６×１０９Ｋｍ×０．６７８×１０３＝４．４７５×１０１２Ｋｍ
小さい腕のブラックホールでできるジェットが届く距離は、４．４７５×１０１２Ｋｍです。
これは、４．４７５×１０１２Ｋｍ÷（９．４６×１０１２Ｋｍ）＝０．４７３光年です。
Ａ＝４．３２５×１０４×（３．１１６×１０８）１／３＝４．３２５×１０４×０．６７８×１０３＝２．９３２×１０７
中位の腕のブラックホールでできるジェットが届く距離＝６．６×１０９Ｋｍ×（１．７５０×１０９）１／３＝６．６×１０９Ｋｍ×１．７５０１／３×１０３＝６．６×１０９Ｋｍ×１．２０５×１０３＝７．９５３×１０１２Ｋｍ
中位の腕のブラックホールでできるジェットが届く距離は、７．９５３×１０１２Ｋｍです。
これは、７．９５３×１０１２Ｋｍ÷（９．４６×１０１２Ｋｍ）＝０．８４１光年です。
Ａ＝４．３２５×１０４×（１．７５０×１０９）１／３＝４．３２５×１０４×１．２０５×１０３＝５．２１２×１０７
大きい腕のブラックホールでできるジェットが届く距離＝６．６×１０９Ｋｍ×（２．４９４×１０９）１／３＝６．６×１０９Ｋｍ×２．４９４１／３×１０３＝６．６×１０９Ｋｍ×１．３５６×１０３＝８．９５０×１０１２Ｋｍ
大きい腕のブラックホールでできるジェットが届く距離は、８．９５０×１０１２Ｋｍです。
これは、８．９５０×１０１２Ｋｍ÷（９．４６×１０１２Ｋｍ）＝０．９４６光年です。
Ａ＝４．３２５×１０４×１．３５６×１０３＝５．８６５×１０７
よって、
小さい腕のブラックホールから放出するジェットは、半径０．４７３光年に星を作っている。
中位の腕のブラックホールから放出するジェットは、半径０．８４１光年に星を作っている。
大きい腕のブラックホールから放出するジェットは、半径０．９４６光年に星を作っている。
まとめて表に示す。
2008312441.tif 000007
１３．銀河系の生成。１０−１６ｍ時代、クエーサーが１０日光の時（クエーサーの円周は光速で１０日間で１周する距離である時）、クエーサーから放出するジェットで、銀河系の質量のダークマターが集められ、大きな腕の軌道、中位の腕の軌道、小さい腕の軌道ができた、と考える場合。
１０−１６ｍ時代クエーサーができた。
クエーサーの円周は数日光ですから、１０日光とします。
クエーサーの円周は光速で１０日間で１周する距離である時
クエーサーの半径をｒとします。
２πｒ＝３×１０５Ｋｍ×１０日×２４×６０×６０秒＝２．５９２×１０１１Ｋｍ
ｒ＝２．５９２×１０１１Ｋｍ÷２π＝４．１２７×１０１０Ｋｍ
クエーサーの半径は、４．１２７×１０１０Ｋｍ
このクエーサーが、現在、銀河系のバルジになっている。
・現在の銀河系は、１０−１６ｍ時代のクエーサーの何倍になっているか。
銀河系のバルジは半径１．５×１０４光年です。
バルジはクエーサーの何倍になったか。
バルジの半径÷クエーサーの半径＝１．５×１０４×９．４６×１０１２Ｋｍ÷（４．１２７×１０１０Ｋｍ）＝３．４３８×１０６
バルジはクエーサーの３．４３８×１０６倍に成った。
現在の銀河系は、１０−１６ｍ時代のクエーサーの３．４３８×１０６倍になっている。
・１０−１６ｍ時代のクエーサーは、現在の銀河系の何倍であったか。
クエーサーの半径÷バルジの半径＝４．１２７×１０１０Ｋｍ÷（１．５×１０４×９．４６×１０１２Ｋｍ）＝２．９０８×１０−７
クエーサーはバルジの２．９０８×１０−７倍です。
１０−１６ｍ時代のクエーサーは、現在の銀河系の２．９０８×１０−７倍であった。
※現在、銀河系のハローは、円盤部やバルジを取り囲むように直径１５万光年にわたって広がっているが、その質量は円盤部やバルジの１０％にすぎない。
この事から、ハローの部分に存在したダークマターは円盤部やバルジの質量になった事が理解できる。
・ハローは１０−１６ｍ時代、半径何ｍであったか。
現在、ハローの半径は、７．５×１０４光年ですから、１０−１６ｍ時代、
７．５×１０４×９．４６×１０１２Ｋｍ×２．９０８×１０−７＝２．０６３×１０１１Ｋｍ
２．０６３×１０１１Ｋｍでした。
２．０６３×１０１１Ｋｍまでジェットが届き、この球体のダークマターを活性化し、ダークマターは集まり、銀河系の質量になった。
・１０−１６ｍ時代、銀河系になるクエーサーができた場には、１ｍ３に何個の原子（ダークマター＝ブラックホールの素子）が存在したか。
１ｍ３の原子数はいくらか。
銀河系の質量は、６×１０１１太陽質量です。
この原子数は、６×１０１１×１．２×１０５７個＝７．２×１０６８個です。
半径２．０６３×１０１１Ｋｍの球体に、７．２×１０６８個の原子が存在した。
１ｍ３の原子数＝銀河系の原子数÷球体の体積＝７．２×１０６８個÷｛４π÷３×（２．０６３×１０１１＋３ｍ）３｝＝７．２×１０６８個÷（３．６８×１０４３ｍ３）＝１．９５７×１０２５個
１０−１６ｍ時代、銀河系になるクエーサーができた場には、１ｍ３に１．９５７×１０２５個の原子分のダークマター（自転する電子のラブと陽子のラブ）が存在した。
・１０−１６ｍ時代、ブラックホール体でできるジェットはどこまで届いたか。
ジェットが届いた距離＝１．５２６×１０５Ｋｍ×ブラックホールのＡ＝１．５２６×１０５Ｋｍ×７．３７８×１０５＝１．１２６×１０１１Ｋｍ
初め、ブラックホール体でできるジェットは、１．１２６×１０１１Ｋｍまで届いた。
・次に、２．０６４×１０１１Ｋｍまで届くジェットは、クエーサーの質量が太陽質量の何倍の時できたか。
ジェットが届く距離＝６．６×１０９Ｋｍ×β１／３＝２．０６３×１０１１Ｋｍ
β１／３＝２．０６３×１０１１Ｋｍ÷（６．６×１０９Ｋｍ）＝３．１２６×１０
β＝（３．１２６×１０）３＝３．０５４×１０４
２．０６３×１０１１Ｋｍまで届くジェットは、クエーサーの質量が太陽質量の３．０５４×１０４倍の時できた。
よって、クエーサーの質量が太陽質量の３．０５４×１０４倍の時、ジェットは２．０６３×１０１１Ｋｍまで届き、半径２．０６４×１０１１Ｋｍの球体のダークマターを活性化し、集めた。
・ジェットの届く距離はクエーサーの半径の何倍か。
ジェットの届く距離は２．０６３×１０１１Ｋｍであり、クエーサーの半径は、４．１２７×１０１０Ｋｍですから、
２．０６３×１０１１Ｋｍ÷（４．１２７×１０１０Ｋｍ）＝５
ジェットの届く距離はクエーサーの半径の５倍です。
・半径２．０６３×１０１１Ｋｍの球体のダークマターは半径何Ｋｍに集まったか。
ダークマターが集まった最外の軌道に、大きい腕の軌道ができた。
１０−１６ｍ時代、大きい腕の軌道は半径何Ｋｍであったか。
私は、２００８年１月４日に提出した、特願２３３０９の「請求項２１」で、小さな腕の半径を２万光年、中位の半径を３万光年、大きな腕の半径を４万光年とした。
１０−１６ｍ時代、クエーサーができ、腕の軌道ができた。
小さい腕、中位の腕、大きい腕の半径は、現在の半径の２．９０８×１０−７倍でしたから、
小さい腕の軌道は、２×１０４×９．４６×１０１２Ｋｍ×２．９０８×１０−７倍＝５．５０２×１０１０Ｋｍでした。
中位の腕の軌道は、３×１０４×９．４６×１０１２Ｋｍ×２．９０８×１０−７倍＝８．２５３×１０１０Ｋｍでした。
大きい腕の軌道は、４×１０４×９．４６×１０１２Ｋｍ×２．９０８×１０−７倍＝１．１００×１０１１Ｋｍでした。
１０−１６ｍ時代、大きい腕の軌道は半径１．１００×１０１１Ｋｍであった。
よって、半径２．０６３×１０１１Ｋｍの球体のダークマターは半径１．１００×１０１１Ｋｍに集まった。
それで、半径１．１００×１０１１Ｋｍから半径２．０６３×１０１１Ｋｍまでの間は空白になった。
この部分は、現在、大きい腕とハローの間の空白になっている。
・１０−１６ｍ時代、大きい腕、中位の腕、小さい腕はどのようにできたか。
ダークマター（ブラックホールの素子）は、半径１．１００×１０１１Ｋｍの球体に集まった。
ジェットは、半径１．１００×１０１１Ｋｍに届き、この軌道のダークマターを活性化し、大きい腕の軌道を作った。
次に、ジェットは、半径８．２５３×１０１０Ｋｍに届き、この軌道のダークマターを活性化し、中位の腕の軌道を作った。
その次に、ジェットは、半径５．５０２×１０１０Ｋｍに届き、この軌道のダークマターを活性化し、小さい腕の軌道を作った。
・１０−１６ｍ時代、球状星団はどのようにできたか。
▲１▼球状星団はダークマターの密度の小さい部分にジェットが当たってできた星星の集まりです。
例えば、半径１．１００×１０１１Ｋｍから半径２．０６３×１０１１Ｋｍまでの間は空白になった。この空白部分にジェットが当たってできた星の質量は、ダークマターの密度が小さいので、小さい。
クエーサーの周囲の部分のダークマターの密度は小さい。この空白部分にジェットが当たってできた星の質量は小さい。
▲２▼球状星団は、腕に成れなかった星星が集まってできた。
例えば、大きな腕の軌道と、中位の腕の軌道の中間にできた星は、どちらの腕の軌道にも入れず取り残された。その星星が集まった。
例えば、中位の軌道と小さい軌道の中間にできた星は、どちらの腕の軌道にも入れず取り残された。その星星が集まった。
それで、球状星団は、球対称にできている。
球状星団が対称にできているのは、ダークマターの密度が小さい部分に、ジェットが当たった所に星ができるからです。
・１０−１５ｍ時代、大きな腕の軌道、中位の腕の軌道、小さい腕の軌道はどのようになったか。
１０−１５ｍ時代、大きな腕の軌道、中位の腕の軌道、小さい腕の軌道は平らに成った。そして、バルジに引かれ、大きな腕、中位の腕、小さな腕になった。
・１０−１４ｍ時代＝現在、１０−１６ｍ時代のクエーサーや小さい腕の軌道や中位の腕の軌道や大きい腕の軌道やダークマターが集められてできた空白の部分はどのようになったか。
１０−１６ｍ時代から、現在の時間の間に、空間は３．４３８×１０６倍に成った。
クエーサーは、半径、４．１２７×１０１０Ｋｍから、
４．１２７×１０１０Ｋｍ×３．４３８×１０６÷（９．４６×１０１２Ｋｍ）＝１．５×１０４光年になった。
小さな腕の軌道は、半径、５．５０４×１０１０Ｋｍから、
５．５０４×１０１０Ｋｍ×３．４３８×１０６÷（９．４６×１０１２Ｋｍ）＝２×１０４光年になった。
中位の腕の軌道は、半径、８．２４６×１０１０Ｋｍから、
８．２５６×１０１０Ｋｍ×３．４３８×１０６÷（９．４６×１０１２Ｋｍ）＝３×１０４光年になった。
大きい腕の軌道は、半径、１．１０１×１０１１Ｋｍから、
１．１０１×１０１１Ｋｍ×３．４３８×１０６÷（９．４６×１０１２Ｋｍ）＝４×１０４光年になった。
空白の部分は、半径１．１００×１０１１Ｋｍから、半径２．０６３×１０１１Ｋｍまでですから、
１．１００×１０１１Ｋｍ×３．４３８×１０６÷（９．４６×１０１２Ｋｍ）＝３．９９８×１０４光年
２．０６３×１０１１Ｋｍ×３．４３８×１０６÷（９．４６×１０１２Ｋｍ）＝７．４９７×１０４光年
４×１０４光年から７．５×１０４光年までになった。
・この考えですと、クエーサーの半径が４．１２７×１０１０Ｋｍで、質量が太陽質量の３．０５４×１０４倍の時、ジェットは２．０６３×１０１１Ｋｍまで届き、半径２．０６３×１０１１Ｋｍの球体のダークマターを活性化し、このダークマターが銀河系の質量になった。
それで、１０−１６ｍ時代、銀河系になるクエーサーができた場には、１ｍ３に１．９５７×１０２５個の原子分のダークマター（自転する電子のラブと陽子のラブ）が存在した事になりました。
しかし、銀河系の質量は、６×１０１１太陽質量です。
クエーサーの質量が太陽質量の３．０５４×１０４倍の時できたジェットは最も遠くまで届いたのではありません。
その後、クエーサーの質量は増し、ジェットはもっと遠くまで届き、更に多くのダークマターを集めた。
この事が繰り返されて、クエーサーの質量は増加し、ジェットは更に遠くに届き、ダークマターを集め、銀河系の質量になった。
最終的に、クエーサーの質量は太陽質量の６×１０１１倍になりますから、この質量でできるジェットは、
ジェットが届く距離＝６．６×１０９Ｋｍ×β１／３＝６．６×１０９Ｋｍ×（６×１０１１）１／３＝６．６×１０９Ｋｍ×６００１／３×１０３＝６．６×１０９Ｋｍ×８．４３５×１０３＝５．５６７×１０１３Ｋｍ、になります。
このように考えます。
まとめて表に示す。
2008312441.tif 000008
2008312441.tif 000009
１４．銀河系の生成。１０−１６ｍ時代、銀河系の質量が集められ、その質量でできるジェットが届く距離は、ジェットが届いた最大半径であり、それは現在、ハローになっていると考える場合。
１０−１６ｍ時代、ダークマターはブラックホールの素子であり、１０−２４ｍの軌道で自転する電子のラブと陽子のラブが存在する場です。
ダークマターが集められた半径
＝最大のジェットが届く半径
＝銀河系の質量でできるジェットが届く距離
＝６．６×１０９Ｋｍ×（６×１０１１）１／３＝６．６×１０９Ｋｍ×６００１／３×１０３＝６．６×１０９Ｋｍ×８．４３５×１０３＝５．５６７×１０１３Ｋｍ
１０−１６ｍ時代、最大のジェットが届く距離は、銀河系の質量でできるジェットです。
最大のジェットが届く半径のダークマターは、集められた。
集められたところにできたのは、大きな腕の軌道、中位の腕の軌道、小さな腕の軌道でした。
最大のジェットが届く半径のダークマターは、集められたので、この空間にダークマターは存在しない。
この場は現在、ハローになっている。
・１０−１６ｍ時代、１ｍ３の原子数はいくらか。
最大のジェットが届く体積から集められたダークマターである電子のラブと陽子のラブは銀河系の質量になった。
１ｍ３の原子数＝銀河系の質量の原子数÷最大のジェットが届く体積＝６×１０１１×１．２×１０５７個÷｛４π÷３×（５．５６７×１０１３＋３ｍ）３｝＝７．２×１０６８個÷（４π÷３×１．７２５×１０５０）＝９．９７×１０１７個
１０−１６ｍ時代、１ｍ３に９．９７０×１０１７個の原子が存在した。
この場に実際に存在するのは、原子ではなく、自転する電子のラブと陽子のラブが存在するので、１ｍ３に９．９７×１０１７個の電子のラブと、９．９７×１０１７個の陽子のラブが存在する。
・最大のジェットが届いた時の大きさは、現在の大きさの何倍か。
最大のジェットが届いた半径は、現在、ハローの半径になっていますから、
最大のジェットが届いた半径÷ハローの半径＝５．５６７×１０１３Ｋｍ÷（７．５×１０４×９．４６×１０１２Ｋｍ）＝７．８４６×１０−５
最大のジェットが届いた半径は、現在のハローの半径の７．８４６×１０−５倍です。
最大のジェットが届いた時の大きさは、現在の大きさの７．８４６×１０−５倍です。
・現在の大きさは、最大のジェットが届いた時の大きさの何倍か。
現在のハローの半径は、最大のジェットが届いた時の最大のジェットの半径です。
ハローの半径÷最大のジェットが届いた半径＝７．５×１０４×９．４６×１０１２Ｋｍ÷（５．５６７×１０１３Ｋｍ）＝１．２７４×１０４
現在のハローの半径は、最大のジェットが届いた半径の１．２７４×１０４倍です。
現在の大きさは、最大のジェットが届いた時の大きさの１．２７４×１０４倍です。
・ダークマターが集められた最大半径はどこか。
ダークマターは大きな腕の軌道まで集まった。
ダークマターが集められた最大半径は大きな腕の軌道です。
・大きな腕の軌道の半径どれくらいか。
現在の大きな腕の半径は、４×１０４×９．４６×１０１２Ｋｍ＝３．７８４×１０１７Ｋｍです。
ダークマターが集められた時は、最大のジェットが届いた時ですから、大きさは、現在の大きさの７．８４６×１０−５倍です。
ダークマターが集められた時、大きな腕の軌道の半径は、
現在の大きな腕の半径×７．８４６×１０−５＝３．７８４×１０１７Ｋｍ×７．８４６×１０−５＝２．９６９×１０１３Ｋｍです。
よって、ダークマターが集められた最大半径は大きな腕の軌道の半径で、２．９６９×１０１３Ｋｍです。
・どのように大きい腕はできたか。
１０−１６ｍ時代、最大のジェットが届いた時、最大ジェットは、半径５．５６７×１０１３Ｋｍまで届きダークマターを活性化した。活性化した電子のラブと陽子のラブは半径２．９６９×１０１３Ｋｍまでひきつけられた。
半径２．９６９×１０１３Ｋｍまでの軌道に、たくさんの電子のラブと陽子のラブが集まりこの部分にジェットが当たり、中央には、１．２４７×１０４太陽質量のブラックホールができた。大きな腕の質量は２．４９４×１０９太陽質量になった。
このように大きいブラックホール質量と周囲の質量は、ブラックホールの素子が外から集まったのでできました。
同様に、中位の腕の軌道と小さい腕の軌道ができました。
腕の軌道は、バルジと結合し、腕に成りました。
ダークマターが集められた時、中位の腕の軌道の半径は、
現在の中位の腕の半径×７．８４６×１０−５＝３×１０４×９．４６×１０１２Ｋｍ×７．８４６×１０−５＝２．８３８×１０１７Ｋｍ×７．８４６×１０−５＝２．２２７×１０１３Ｋｍです。
ダークマターが集められた時、小さい腕の軌道の半径は、
現在の小さい腕の半径×７．８４６×１０−５＝２×１０４×９．４６×１０１２Ｋｍ×７．８４６×１０−５＝１．８９２×１０１７Ｋｍ×７．８４６×１０−５＝１．４８４×１０１３Ｋｍです。
１５．現在、ダークハローには１ｍ３に何個の原子が存在するか。
クエーサーの質量が最大に成り、ジェットの届く距離が最大に成った時、ジェットが届いた半径の球体から、銀河系の質量のダークマターが集まった。
１０−１６ｍ時代、１ｍ３に９．９７０×１０１７個の原子が存在した。ダークマターは自転する電子のラブと陽子のラブですから、ダークマターの数は、１ｍ３に２×９．９７０×１０１７個です。
それで、
１０−１４ｍの時代では、ダークマターの数は、１ｍ３に２×９．９７０×１０１７−６個＝２×９．９７０×１０１１個です。です。
ダークマターの自転軌道は、公転軌道は約１０−９ｍですから、１０−９−８ｍ＝１０−１７ｍです。
まとめて表に記す。
2008312441.tif 000010
１６．渦巻銀河の生成はどのように行われるか。
渦巻き銀河の生成段階はつぎのようである。
▲１▼クエーサーの中心ができる。
▲２▼クエーサーの中心からジェットが上がる。
▲３▼ジェットはダークマター（１０−２４ｍの軌道で自転する電子のラブと陽子のラブ）を活性化し、中央に集める。
▲４▼中央のブラックホールの素子の質量は大きくなり、更に遠くまでジェットは届き、その場のダークマターを活性化し、中央の方向に集める。
▲５▼クエーサーの質量が最大に成りクエーサーが完成する。
クエーサーが完成した事は、クエーサーの質量が最大になった事です。
これを、“クエーサーは最大質量になり完成した”と名づける。
クエーサーの最大質量を太陽質量のβ倍とする。
▲６▼クエーサーの質量が最大と成り、太陽質量のβ倍になった時、ジェットが届く距離は、６．６×１０９×β１／３Ｋｍです。
この距離を、“ジェットが届く最大半径”と名づける。
“ジェットが届く最大半径”は、６．６×１０９×β１／３Ｋｍです。
“ジェットが届く最大半径”は、現在、ハローの最大半径です。
▲７▼“ジェットが届く最大半径”６．６×１０９×β１／３Ｋｍにジェットは届き、この範囲のダークマター（１０−２４ｍの軌道で自転する電子のラブと陽子のラブ）を活性化し、公転させる。
電子のラブと陽子のラブは公転する。
１０−１６ｍの時代、ジェットにより、ダークマターを活性化する事は、ダークマターである１０−２４ｍの軌道で自転する電子のラブと陽子のラブを公転させることです。
即ち、ジェットである電気の光子が、１０−２４ｍの軌道で自転する電子のラブと陽子のラブに付加し電子のラブと陽子のラブのエネルギーを高め、電子のラブを１０−１６ｍ、陽子のラブを１０−１９ｍで公転させることです。
−２７３℃であった電子のラブと陽子のラブを−２６０℃に高め、公転させる事です。
この事を“ダークマターの活性化”と名づける。
“ダークマターの活性化”とは、ジェットである電気の光子は、自転する電子のラブと陽子のラブに付加し電子のラブと陽子のラブのエネルギーを高め、公転させる事です。
▲８▼“ジェットが届く最大半径”６．６×１０９×β１／３Ｋｍから、活性化した、電子のラブと陽子のラブは中央の方向に集まる。
活性化した、電子のラブと陽子のラブは、大きい腕の軌道ができる所まで集まる。
この半径を、“活性化したダークマターが集められた最大半径”と名づける。
“活性化したダークマターが集められた最大半径”は、大きい腕の軌道ができる半径です。
▲９▼“ジェットが届く最大半径”６．６×１０９×β１／３Ｋｍから“活性化したダークマターが集められた最大半径”までには、ダークマターが存在せず、空白になる。
これを、“ダークマターが存在しない空白空間”と名づける。
“ダークマターが存在しない空白空間”とは、“ジェットが届く最大半径”６．６×１０９×β１／３Ｋｍから“活性化したダークマターが集められた最大半径”までで、この空間には、ダークマターが存在せず、空白です。
“ダークマターが存在しない空白空間”は、現在、ハローです。
▲１０▼クエーサーの中央でできるジェットは、大きい腕の軌道に届き、大きな腕の軌道を作る。
１０−１６ｍ時代、そこに存在するのは公転するブラックホールの素子ですから、大きい腕の軌道の中央にはブラックホールができる。
▲１１▼クエーサーの中央でできるジェットは、中位の腕の軌道に届き、中位の腕の軌道を作る。
１０−１６ｍ時代、そこに存在するのは公転するブラックホールの素子ですから、中位の腕の軌道の中央にはブラックホールができる。
▲１２▼クエーサーの中央でできるジェットは、小さい腕の軌道に届き、小さい腕の軌道を作る。
１０−１６ｍ時代、そこに存在するのは公転するブラックホールの素子ですから、小さい腕の軌道の中央にはブラックホールができる。
▲１３▼ダークマター密度の小さい部分に当たったジェットにより、質量の小さい星ができた。
これらの星が集まり、球状星団になる。
▲１４▼大きな腕の軌道、中位の腕の軌道、小さな腕の軌道、はバルジと結合し、大きな腕、中位の腕、小さな腕、になる。
１７．ジェットは電気の光子です。ジェットの働きは何か。
ジェットが電気の光子であることによって、ジェットの働きは、ダークマターの温度を上げ、自転だけしていた電子のラブと陽子のラブを公転させる事であると理解できる。
私は、２００７年６月１５日に提出した、特願２００７−１８３７１８に、ダークマターの活性化について詳しく記した。
今回は、ジェットは電気の光子である事が理解できた。
この電気の光子がダークマターを活性化する。
１８．ジェットが当たった所に何ができるか。
４×１０−１７ｍ時代、ジェットが当たった所には、クエーサーの中心ができた。クエーサーの中心のブラックホールができた。
１０−１６ｍ時代、ジェットが当たった所には、クエーサーや腕の軌道ができた。腕の中心のブラックホールができた。
ダークマターの密度が小さい部分では質量の小さい星ができる。星が集まり球状星団になる。
１０−１５ｍ時代、ジェットが当たった所には、星ができた。
１０−１４ｍ時代、ジェットが当たった所には、小惑星ができた。ブラックホールに近い高エネルギーの場では星ができる。
ジェットが当たった所にできる物。
2008312441.tif 000011
【発明の効果】
【０００６】この発明により次のことが理解できた。
１．同じ原理であるならば、磁気が届く距離とジェットが届く距離は同じような式で求められるはずです。
磁気が届く距離＝出発する場のＡ２×定数
ジェットが届く距離＝出発する場のＡ２×定数、として表現できるはずです。
２．まとめて表に示す。
2008312441.tif 000012
2008312441.tif 000013
３．磁気が届く距離とジェットが届く距離の関係はどのようになっているか。
太陽質量のＫ倍の星の場合。
グラフにする。
縦軸を距離とし、距離を×１．３０８×１０８Ｋｍとする。横軸をＫとする。
磁気が届く距離＝１．３０５×１０８Ｋｍ×Ｋ２÷（１．３０５×１０８Ｋｍ）＝Ｋ２
ジェットが届く距離＝５．９０９×１０８Ｋｍ×Ｋ÷（１．３０５×１０８Ｋｍ）＝４．５２８×Ｋ
磁気が届く距離は２次関数のグラフで示される。
ジェットが届く距離は１次関数のグラフで示される。
また、
磁気の届く距離：ジェットの届く距離＝１．３０５×１０８Ｋｍ×Ｋ２：５．９０９×１０８Ｋｍ×Ｋ＝Ｋ２：４．５２８×Ｋ
銀河とクエーサーの場合。
グラフにする。
縦軸を距離とし、距離を×６．６×１０９Ｋｍとする。横軸をβ１／３＝ａとする。
磁気の届く距離＝１．６２７×１０１０Ｋｍ×β２／３÷（６．６×１０９Ｋｍ）＝２．４６５×β２／３＝２．４６５×ａ２
ジェットの届く距離＝６．６×１０９Ｋｍ×β１／３÷（６．６×１０９Ｋｍ）＝β１／３＝ａ
磁気が届く距離は２次関数のグラフで示される。
ジェットが届く距離は１次関数のグラフで示される。
また、
磁気の届く距離：ジェットの届く距離＝１．６２７×１０１０Ｋｍ×β２／３：６．６×１０９Ｋｍ×β１／３＝２．４６５×β２／３：β１／３＝２．４６５×ａ２：ａ
これらの式により理解できる事。
▲１▼磁気の届く距離：ジェットの届く距離＝Ａ２：Ａです。
▲２▼磁気やジェットが届く距離は、エネルギーの大きさに比例すると考えると、磁気のエネルギーはジェットのエネルギーの２乗です。
それで、磁気のエネルギーは磁気の光子のエネルギーで、ジェットのエネルギーは電気の光子のエネルギーです。
▲３▼核融合の場でできた磁気の光子のエネルギーと、電気の光子のエネルギーは同じです。
▲４▼電気の光子のエネルギーは熱になり消滅します。しかし、Ａ２のエネルギーのうちＡのエネルギーは残る。この残った電気の光子のエネルギーがジェットに成ると考えられる。
▲５▼磁気の光子は消滅することなくそのまま磁気として放出する。
▲６▼それで、放出する磁気の光子のエネルギーはＡ２であり、放出する電気の光子であるジェットのエネルギーはＡです。
４．磁気放出の原理はなにか。ジェット放出の原理はなにか。
Ａの場において、Ａ個の原子が１秒間に作る、磁気の光子は３．７６９×１０−２１Ｊ×Ａ２です。
この磁気の光子がが放出し、磁気帯になります。
・電気の光子の場合。
Ａの場において、Ａ個の原子が１秒間に作る、電気の光子は３．７６９×１０−２１Ｊ×Ａ２＝Ａ２℃です。
しかし、ジェットのエネルギーは、３．７６９×１０−２１Ｊ×Ａです。
この事は、できた電気の光子のエネルギー１／２は熱になり消費され、残りの電気の光子のエネルギー１／２はジェットのエネルギーになる事をしめす。
５．放出する磁気の光子（磁気）のエネルギーは、放出する電気の光子（ジェット）のエネルギーの何倍であるか。放出する電気の光子（ジェット）のエネルギーと放出する磁気の光子（磁気）のエネルギーの関係式はどのようであるか。放出する電気の光子（ジェット）のエネルギーはできる電気の光子のエネルギーのどれくらいになるか。
エネルギーと届く距離を次のように考える。
2008312441.tif 000014
2008312441.tif 000015
放出する磁気の光子（磁気）のエネルギーは、放出する電気の光子（ジェット）のエネルギーの何倍であるか。
星の場合。
放出する磁気の光子（磁気）のエネルギーは、放出する電気の光子（ジェット）のエネルギーの、星のＡ÷（３．８７３×１０３）倍です。
銀河やクエーサーの場合。核融合の場を基本にした場合。
放出する磁気の光子（磁気）のエネルギーは、放出する電気の光子（ジェット）のエネルギーの、銀河やクエーサーのＡ÷（３．８７３×１０３）倍です。
銀河やクエーサーの場合。ブラックホールの場を基本にした場合。
放出する磁気の光子（磁気）のエネルギーは、放出する電気の光子（ジェット）のエネルギーの、銀河やクエーサーのＡ÷（７．３７５×１０５）倍です。
関係式は次のようです。
星の場合。
放出する電気の光子（ジェット）のエネルギー
＝（放出する磁気の光子（磁気）のエネルギー×核融合の場の温度）１／２
＝放出する磁気の光子（磁気）のエネルギー１／２×核融合の場のＡ
銀河やクエーサーの場合。核融合の場を基本にした場合。
放出する電気の光子（ジェット）のエネルギー＝（放出する磁気の光子（磁気）のエネルギー×核融合の場の温度）１／２＝放出する磁気の光子（磁気）のエネルギー１／２×核融合の場のＡ
銀河やクエーサーの場合。ブラックホールの場を基本にした場合。
放出する電気の光子（ジェット）のエネルギー
＝（放出する磁気の光子（磁気）のエネルギー×ブラックホールの場の温度）１／２
＝放出する磁気の光子（磁気）のエネルギー１／２×ブラックホールの場のＡ
放出する電気のエネルギー（ジェット）は、できたエネルギーのどれくらいになるか。
星の場合。
放出する電気の光子（ジェット）のエネルギー＝星の中央でできる電気の光子のエネルギー１／２×核融合の場のＡ
銀河やクエーサーの場合。核融合の場を基本にした場合。
放出する電気の光子（ジェット）のエネルギー＝銀河やクエーサーの中央でできる電気の光子のエネルギー１／２×核融合の場のＡ
銀河やクエーサーの場合。ブラックホールの場を基本にした場合。
放出する電気の光子（ジェット）のエネルギー＝銀河やクエーサーの中央のブラックホールでできる電気の光子のエネルギー１／２×ブラックホールの場のＡ
６．銀河系の大きい腕、中位の腕、小さい腕を次のように理解した。
2008312441.tif 000016
太陽系の近くの厚さは約５０００光年ですから、半径２５００光年です。
磁気が届く距離が２５００光年＝２．３６５×１０１６Ｋｍであるためには、腕の質量は、１．７５０×１０９太陽質量でなければならない。
私が求めた、中位の腕の質量は、１．０５０×１０９太陽質量です。
磁気が届く距離が２５００光年であるためには、腕の質量は、１．７５０×１０９太陽質量です。
私が求めた値は、１．０５０×１０９太陽質量÷（１．７５０×１０９太陽質量）×１００＝６０パーセントです。
私が求めた、大きい腕の質量は、２．４９４×１０９太陽質量です。
磁気が届く距離が２５００光年であるためには、腕の質量は、１．７５０×１０９太陽質量です。
私が求めた値は、２．４９４×１０９太陽質量÷（１．７５０×１０９太陽質量）×１００＝１４２．５パーセントです。
このことによって何が理解できるか。
▲１▼腕の中心のブラックホールから放出する磁気は、腕を包囲し、腕の星星を守っている。
▲２▼腕と腕が衝突しないように守っている。
▲３▼腕の星達が腕から散らばらないようにガードしている。
７．銀河系の生成。１０−１６ｍ時代、銀河系の質量が集められ、その質量でできるジェットが届く距離は、ジェットが届いた最大半径であり、それは現在、ハローになっていると考える場合。
次のように理解した。
2008312441.tif 000017
2008312441.tif 000018
８．渦巻き銀河の生成を▲１▼から▲１４▼の過程でできると理解した。
【図面の簡単な説明】
【０００７】
【図１】磁気が届く距離とジェットが届く距離の関係はどのようになっているか。太陽質量のＫ倍の星の場合。グラフにする。縦軸を距離とし、距離を×１．３０８×１０８Ｋｍとする。横軸をＫとする。磁気が届く距離＝１．３０５×１０８Ｋｍ×Ｋ２÷（１．３０５×１０８Ｋｍ）＝Ｋ２  ジェットが届く距離＝５．９０９×１０８Ｋｍ×Ｋ÷（１．３０５×１０８Ｋｍ）＝４．５２８×Ｋ  磁気が届く距離は２次関数のグラフで示される。ジェットが届く距離は１次関数のグラフで示される。また、磁気の届く距離：ジェットの届く距離＝１．３０５×１０８Ｋｍ×Ｋ２：５．９０９×１０８Ｋｍ×Ｋ＝Ｋ２：４．５２８×Ｋ  銀河とクエーサーの場合。グラフにする。縦軸を距離とし、距離を×６．６×１０９Ｋｍとする。横軸をβ１／３＝ａとする。磁気の届く距離＝１．６２７×１０１０Ｋｍ×β２／３÷（６．６×１０９Ｋｍ）＝２．４６５×β２／３＝２．４６５×ａ２  ジェットの届く距離＝６．６×１０９Ｋｍ×β１／３÷（６．６×１０９Ｋｍ）＝β１／３＝ａ  磁気が届く距離は２次関数のグラフで示される。ジェットが届く距離は１次関数のグラフで示される。また、磁気の届く距離：ジェットの届く距離＝１．６２７×１０１０Ｋｍ×β２／３：６．６×１０９Ｋｍ×β１／３＝２．４６５×β２／３：β１／３＝２．４６５×ａ２：ａ
【図２】銀河系の大きい腕、中位の腕、小さい腕を次のように理解した。
2008312441.tif 000019
2008312441.tif 000020磁気が届く距離が２５００光年＝２．３６５×１０１６Ｋｍであるためには、腕の質量は、１．７５０×１０９太陽質量でなければならない。（太陽系の近くの厚さは約５０００光年ですから、半径２５００光年です。）私が求めた、中位の腕の質量は、１．０５０×１０９太陽質量です。磁気が届く距離が２５００光年であるためには、腕の質量は、１．７５０×１０９太陽質量です。私が求めた値は、１．０５０×１０９太陽質量÷（１．７５０×１０９太陽質量）×１００＝６０パーセントです。私が求めた、大きい腕の質量は、２．４９４×１０９太陽質量です。磁気が届く距離が２５００光年であるためには、腕の質量は、１．７５０×１０９太陽質量です。私が求めた値は、２．４９４×１０９太陽質量÷（１．７５０×１０９太陽質量）×１００＝１４２．５パーセントです。【図３】銀河系の生成。１０−１６ｍ時代、銀河系の質量が集められ、その質量でできるジェットが届く距離は、ジェットが届いた最大半径であり、それは現在、ハローになっていると考える場合。次のように理解した。
2008312441.tif 000021
【符号の説明】
【０００８】１  星の場合。  縦軸を距離とし、距離を×１．３０８×１０８Ｋｍとする。
２  横軸をＫとする。
３  磁気が届く距離＝Ｋ２
４  ジェットが届く距離＝４．５２８×Ｋ
５  銀河とクエーサーの場合。縦軸を距離とし、距離を×６．６×１０９Ｋｍとする
６  横軸をβ１／３＝ａとする。
７  磁気の届く距離＝２．４６５×ａ２
８  ジェットの届く距離＝ａ
９  小さい腕の中心のブラックホールの質量は、太陽質量の１．５５８×１０３倍
１０  小さい腕の質量は、太陽質量の３．１１６×１０８倍
１１  小さい腕の磁気が届く半径は、７．４８４×１０１５Ｋｍ
１２  中位の腕の中心のブラックホールの質量は、太陽質量の５．２５２×１０３倍
１３  中位の腕の質量は、太陽質量の１．７５０×１０９倍
１４  中位の腕の磁気が届く半径は、１．６８１×１０１６Ｋｍ
１５  大きい腕の中心のブラックホールの質量は、太陽質量の１．２４７×１０４倍
１６  大きい腕の質量は、太陽質量の２．４９４×１０９倍
１７  大きい腕の磁気が届く半径は、２．９９２×１０１６Ｋｍ
１８  磁気が届く距離が２５００光年＝２．３６５×１０１６Ｋｍであるためには、腕の質量は、１．７５０×１０９太陽質量でなければならない。
１９  １０−１６ｍ時代、最大のジェットが届く半径は５．５６７×１０１３Ｋｍです。
２０  現代、１９はハローの最大半径になり、７．５×１０４光年＝７．０９５×１０１７Ｋｍです。
２１  現代のハローの半径は、１０−１６ｍ時代の最大のジェットが届く半径の、１．２７４×１０４倍です。
２２  １０−１６ｍ時代の最大のジェットが届く半径は、現代のハローの半径の７．８４６×１０−５倍です。
２３  １０−１６ｍ時代、ダークマターが集められた最大半径は２．９６９×１０１３Ｋｍです。
２４  現代、２３は、大きい腕の半径になり、４×１０４光年＝３．７８４×１０１７ｋｍです。
２５  １０−１６ｍ時代、中位の腕の軌道の半径は２．２２７×１０１３Ｋｍです。
２６  現代、２５は、中位の腕の半径になり、３×１０４光年＝２．８３８×１０１７Ｋｍです。
２７  １０−１６ｍ時代、小さい腕の軌道の半径は１．４８４×１０１３Ｋｍです。
２８  現代、２７は、小さい腕の半径になり、２×１０４光年＝１．８９２×１０１７Ｋｍです。
２９  クエーサー
３０  バルジ
【図１】
2008312441.tif 000032
【図２】
2008312441.tif 000033
【図３】
2008312441.tif 000034